(57)【要約】  第１の移動局から所定のコード群に含まれる第１のコードを受信する場合は、該第１のコードに対応する第１の通信領域内の無線リソースを該第１の移動局に割り当て、第２の移動局から前記所定のコード群に含まれない第２のコードを受信する場合は、該第２のコードに対応する第２の通信領域内の無線リソースを該第２の移動局に割り当てる。
2010001454.tif 000002
【特許請求の範囲】
【請求項１】
第１の移動局から所定のコード群に含まれる第１のコードを受信する場合は、該第１のコードに対応する第１の通信領域内の無線リソースを該第１の移動局に割り当て、
第２の移動局から前記所定のコード群に含まれない第２のコードを受信する場合は、該第２のコードに対応する第２の通信領域内の無線リソースを該第２の移動局に割り当てる、
ことを特徴とする無線リソースの割り当て方法。
【請求項２】
受信コードが第１の通信領域で受信されたコードである場合は、該受信コードを送信した移動局に対して、該第１の通信領域に対応する第２の通信領域内の無線リソースを割り当て、前記受信コードが第３の通信領域で受信されたコードである場合は、該受信コードを送信した移動局に対して、該第３の通信領域に対応する第４の通信領域内の無線リソースを割り当てる、
ことを特徴とする無線リソースの割り当て方法。
【請求項３】
請求項１又は２において、
前記第１又は第２の移動局は、前記第１又は第２の移動局と前記基地局との間の無線環境に応じて、基地局へ送信するコードを選択する、ことを特徴とする無線リソースの割り当て方法。
【請求項４】
コードを受信する受信部と、
前記受信部で、第１の移動局から所定のコード群に含まれる第１のコードを受信する場合は、該第１のコードに対応する第１の通信領域内の無線リソースを該第１の移動局に割り当て、第２の移動局から前記所定のコード群に含まれない第２のコードを受信する場合は、該第２のコードに対応する第２の通信領域内の無線リソースを該第２の移動局に割り当てる制御を行なう制御部と、
を備えたことを特徴とする基地局。
【請求項５】
請求項４において、
前記制御部は、前記第１の通信領域内の無線リソースが十分に無い場合は、前記第１の移動局から前記第１のコードを受信しても、該第１の移動局に前記第２の通信領域内の無線リソースを割り当てることを特徴とする基地局。
【請求項６】
コードを受信する受信部と、
受信コードが、前記受信部において第１の通信領域で受信したコードである場合は、該受信コードを送信した移動局に対して、該第１の通信領域に対応する第２の通信領域内の無線リソースを割り当て、前記受信コードが、前記受信部において第３の通信領域で受信したコードである場合は、該受信コードを送信した移動局に対して、該第３の通信領域に対応する該第４の通信領域内の無線リソースを割り当てる制御を行なう制御部と、
を備えたことを特徴とする基地局。
【請求項７】
請求項６において、
前記制御部は、前記第２の通信領域内の無線リソースが十分に無い場合は、前記受信コードが前記第１の通信領域で受信したコードであっても、該受信コードを送信した移動局に対して、前記第４の通信領域内の無線リソースを割り当てる制御を行なうことを特徴とする基地局。
【請求項８】
所定のコード群から選択したコードを基地局に送信する送信部と、
複数の通信領域のうち、前記コードの種類に対応する通信領域内の無線リソースの割り当て情報を前記基地局から受信する受信部と、
前記割り当て情報に従って、前記送信部を制御して、前記無線リソースを用いた無線信号の送信制御を行なう制御部と、
を備えたことを特徴とする移動局。
【請求項９】
請求項８において、
更に、少なくとも、基地局から送信された信号のＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）の値、又は、自局から基地局へ信号を送信する際の送信電力値に応じて、前記所定のコード群から選択したコードを生成するコード生成部
を備えたことを特徴とする移動局。
【請求項１０】
コードを基地局に送信する送信部と、
複数の通信領域のうち、前記コードが送信された通信領域に対応する通信領域内の無線リソースの割り当て情報を前記基地局から受信する受信部と、
前記割り当て情報に従って、前記送信部を制御して、前記無線リソースを用いた無線信号の送信制御を行なう制御部と、
を備えたことを特徴とする移動局。
【請求項１１】
請求項１０において、
前記送信部は、少なくとも、基地局から送信された信号のＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）の値、又は、自局から基地局へ信号を送信する際の送信電力値、に応じて選択した通信領域で前記コードを送信することを特徴とする移動局。
【発明の詳細な説明】
【技術分野】
【０００１】
本件は、無線通信における無線リソースの割り当て方法、基地局、及び移動局に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１６ＷＧ（Ｗｏｒｋｉｎｇ  Ｇｒｏｕｐ）では、基地局（ＢＳ：Ｂａｓｅ  Ｓｔａｔｉｏｎ）に複数の移動局（ＭＳ：Ｍｏｂｉｌｅ  Ｓｔａｔｉｏｎ）が接続可能なＰｏｉｎｔ−ｔｏ−Ｍｕｕｌｔｉｐｏｉｎｔ（Ｐ−ＭＰ）型の通信システムが提案されている。例えば、Ｐ−ＭＰ型の通信システムの例として８０２．１６ｄ仕様及び８０２．１６ｅ仕様による通信システムのイメージを図１に示す。【０００３】
図２は、８０２．１６ｄ／ｅにおけるフレーム構成例であり、ＤＬ（Ｄｏｗｎlｉｎｋ）サブフレーム及びＵＬ（Ｕｐlｉｎｋ）サブフレームを示す。【０００４】
図２において、ＤＬサブフレームの先頭のプリアンブル信号（Ｐｒｅａｍｂｌｅ）は、基地局から移動局に送信される同期信号であり、移動局はプリアンブル信号を受信することにより基地局との同期をとる。【０００５】
ＤＬ−ＭＡＰ及びＵＬ−ＭＡＰは、それぞれＤＬサブフレーム及びＵＬサブフレームのフレーム構成についての情報や制御情報等を含む。移動局は、このＤＬ−ＭＡＰ及びＵＬ−ＭＡＰを参照し、ＤＬにおける受信処理及びＵＬにおける送信処理を行なう。【０００６】
ＵＬサブフレームに設けられるＣＤＭＡ（Ｃｏｄｅ  Ｄｉｖｉｓｉｏｎ  Ｍｕｌｔｉｐｌｅ  Ａｃｃｅｓｓ）  Ｃｏｎｔｅｎｔｉｏｎ  Ｒｅｇｉｏｎは、移動局での送信電力調整やタイミング調整を行なうためのＲａｎｇｉｎｇ  Ｃｏｄｅや、帯域要求（Ｂａｎｄｗｉｄｔｈ  Ｒｅｑｕｅｓｔ）を送信するためのＵＬの通信領域の割り当てを要求するＢａｎｄｗｉｄｔｈ  Ｒｅｑｕｅｓｔ  Ｃｏｄｅなどを、移動局から基地局に送信するのに用いられる領域である。【０００７】
ＣＤＭＡ  Ｃｏｎｔｅｎｔｉｏｎ  Ｒｅｇｉｏｎは、基地局の指定なくどの移動局もＣＤＭＡ  Ｃｏｄｅを送信可能なコンテンション領域である。各移動局は、ＣＤＭＡ  Ｃｏｄｅを送信する場合、このＣＤＭＡ  Ｃｏｎｔｅｎｔｉｏｎ  Ｒｅｇｉｏｎの中からＣＤＭＡ  Ｃｏｄｅを送信するスロットを選択する。【０００８】
ここで、上記ＣＤＭＡ  Ｃｏｄｅには例示的に２５６のパターンがあり、送信する情報によりパターンの範囲が区切られている。例えば、移動局がＢａｎｄｗｉｄｔｈ  ＲｅｑｕｅｓｔのＣＤＭＡ  Ｃｏｄｅを送信する場合、Ｂａｎｄｗｉｄｔｈ  Ｒｅｑｕｅｓｔ用のＣＤＭＡ  Ｃｏｄｅのパターンの範囲からＣＤＭＡ  Ｃｏｄｅを１つ選択し基地局に送信する。【０００９】
図３は、基地局がＣＤＭＡ  Ｃｏｎｔｅｎｔｉｏｎ  ＲｅｇｉｏｎをＵＬサブフレームに設定する際の、移動局へブロードキャストするＵＬ  ＭＡＰ  ＩＥ（Ｉｎｆｏｒｍａｔｉｏｎ  Ｅｌｅｍｅｎｔ）の一例を示す。【００１０】
図３において、ＣＩＤ（Ｃｏｎｎｅｃｔｉｏｎ  Ｉｄｅｎｔｉｆｉｅｒ）はコネクションについての識別値であり、基地局はブロードキャスト用に全移動局についての値を設定する。【００１１】
ＵＩＵＣ（Ｕｐｌｉｎｋ  Ｉｎｔｅｒｖａｌ  Ｕｓａｇｅ  Ｃｏｄｅ）は、ＵＬ  ＭＡＰ  ＩＥのタイプを示し、これによりＵＬ  ＭＡＰ  ＩＥの種類が識別される。例えば、ＣＤＭＡ  Ｃｏｎｔｅｎｔｉｏｎ  Ｒｅｇｉｏｎについては、“１２”が設定される。【００１２】
また、ＯＦＤＭＡ  Ｓｙｍｂｏｌ  ｏｆｆｓｅｔ、Ｓｕｂｃｈａｎｎｅｌ  ｏｆｆｓｅｔ、Ｎｏ．ＯＦＤＭＡ  Ｓｙｍｂｏｌｓ、及びＮｏ．Ｓｕｂｃｈａｎｎｅｌｓには、ＵＬサブフレームにおけるＣＤＭＡ  Ｃｏｎｔｅｎｔｉｏｎ  Ｒｅｇｉｏｎの位置が指定され、Ｒａｎｇｉｎｇ  ＭｅｔｈｏｄにはＣＤＭＡ  Ｃｏｎｔｅｎｔｉｏｎ  Ｒｅｇｉｏｎの用途が指定される。【００１３】
例えば、Ｒａｎｇｉｎｇ  Ｍｅｔｈｏｄに指定されるＣＤＭＡ  Ｃｏｎｔｅｎｔｉｏｎ  Ｒｅｇｉｏｎの用途としては、Ｉｎｉｔｉａｌ  Ｒａｎｇｉｎｇ、Ｈａｎｄｏｖｅｒ  Ｒａｎｇｉｎｇ、Ｐｅｒｉｏｄｉｃ  Ｒａｎｇｉｎｇ及びＢａｎｄｗｉｄｔｈ  Ｒｅｑｕｅｓｔなどがある。【００１４】
次に、図４に、移動局が基地局に対し、通信領域の割り当てを要求する際のシーケンス例を示す。【００１５】
Ｓ１では、移動局は、使用するＣＤＭＡ  ＣｏｄｅをＢａｎｄｗｉｄｔｈ  Ｒｅｑｕｅｓｔ用途に区切られたパターンの範囲の中から１つ選択し、基地局に送信する。【００１６】
Ｓ２では、基地局は、Ｓ１で移動局からＣＤＭＡ  Ｃｏｄｅを受信すると、移動局に対しＣＤＭＡ  Ａｌｌｏｃａｔｉｏｎ  ＩＥを送信し、移動局がＢａｎｄｗｉｄｔｈ  Ｒｅｑｕｅｓｔメッセージを送信するためのＵＬサブフレームの通信領域を指定する。なお、基地局は、受信したＣＤＭＡ  Ｃｏｄｅの送信元移動局を識別できないため、ＣＤＭＡ  Ａｌｌｏｃａｔｉｏｎ  ＩＥに、当該受信したＣＤＭＡ  ＣｏｄｅのＣＤＭＡ  Ｃｏｎｔｅｎｔｉｏｎ  Ｒｅｇｉｏｎにおける位置とコードパターンの情報とを含めて送信する。【００１７】
Ｓ３では、移動局は、Ｓ２で基地局から受信したＣＤＭＡ  Ａｌｌｏｃａｔｉｏｎ  ＩＥにより指定されたＵＬサブフレームの通信領域で、基地局に対しＢａｎｄｗｉｄｔｈ  Ｒｅｑｕｅｓｔメッセージを送信する。Ｂａｎｄｗｉｄｔｈ  Ｒｅｑｕｅｓｔメッセージには、移動局が送信したいデータのデータサイズについての情報が含まれる。【００１８】
Ｓ４では、基地局は、Ｓ３で移動局から受信したＢａｎｄｗｉｄｔｈ  Ｒｅｑｕｅｓｔメッセージに示されるデータサイズに基づき、ＵＬサブフレームの通信領域の割り当てを行ない、ＵＬ−ＭＡＰにより指定する。【００１９】
Ｓ５では、移動局は、Ｓ４で基地局から受信したＵＬ−ＭＡＰにより割り当てられたＵＬサブフレームの通信領域で、データの送信を行なう。【００２０】
図５に、図４において、基地局から移動局に対し送信するＣＤＭＡ  Ａｌｌｏｃａｔｉｏｎ  ＩＥを含むＵＬ−ＭＡＰ  ＩＥの一例を示す。【００２１】
図５において、Ｄｕｒａｔｉｏｎは、基地局が移動局に対して割り当てるスロット数を指定する。【００２２】
ＵＩＵＣは、ＣＤＭＡ  Ａｌｌｏｃａｔｉｏｎ  ＩＥで指定される通信領域にＢａｎｄｗｉｄｔｈ  Ｒｅｑｕｅｓｔメッセージ等を送信するときに用いる、変調や符号化に関する情報であるＢｕｒｓｔ  Ｐｒｏｆｉｌｅを指定する。【００２３】
Ｒｅｐｅｔｉｔｉｏｎ  Ｃｏｄｉｎｇ  Ｉｎｆｏｒｍａｔｉｏｎは、Ｒｅｐｅｔｉｔｉｏｎ  Ｃｏｄｅ（繰り返し符号）の情報を示す。【００２４】
Ｆｒａｍｅ  Ｎｕｍｂｅｒ  Ｉｎｄｅｘ、Ｒａｎｇｉｎｇ  Ｃｏｄｅ、Ｒａｎｇｉｎｇ  Ｓｙｍｂｏｌ、及びＲａｎｇｉｎｇ  Ｓｕｂｃｈａｎｎｅｌは、基地局が受信したＣＤＭＡ  Ｃｏｄｅの情報を示す。Ｆｒａｍｅ  Ｎｕｍｂｅｒ  ＩｎｄｅｘのフレームにおけるＲａｎｇｉｎｇ  Ｓｙｍｂｏｌ及びＲａｎｇｉｎｇ  Ｓｕｂｃｈａｎｎｅｌの位置で、Ｒａｎｇｉｎｇ  ＣｏｄｅのパターンのＣＤＭＡ  Ｃｏｄｅを送信した移動局を特定することができる。【００２５】
Ｂａｎｄｗｉｄｔｈ  Ｒｅｑｕｅｓｔ  Ｍａｎｄａｔｏｒｙは、Ｂａｎｄｗｉｄｔｈ  Ｒｅｑｕｅｓｔメッセージの送信を行なうか行なわないかを指定する。【００２６】
上記のように，移動局が、ＣＤＭＡ  ＣｏｄｅをＣＤＭＡ  Ｃｏｎｔｅｎｔｉｏｎ  Ｒｅｇｉｏｎで送信した場合、基地局は、受信したＣＤＭＡ  Ｃｏｄｅからは、送信元の移動局を識別できない。そこで、基地局は、受信したＣＤＭＡ  Ｃｏｄｅ情報やフレームにおける位置情報をＣＤＭＡ  Ａｌｌｏｃａｔｉｏｎ  ＩＥに含めて送信することにより、当該移動局を指定する。移動局は、受信したＣＤＭＡ  Ａｌｌｏｃａｔｉｏｎ  ＩＥで指定されるＵＬサブフレームの通信領域を利用して、基地局に対してメッセージの送信を行なう。【００２７】
ところで、前述の８０２．１６ｅの次期バージョンである８０２．１６ｍでは、８０２．１６ｍに準拠する移動局（以下、８０２．１６ｍ準拠の移動局と表記する）のみでなく、８０２．１６ｅに準拠する移動局（以下、８０６．１６ｅ準拠の移動局と表記する）についてもサポートすることが望まれる。【００２８】
図６に、８０２．１６ｅ準拠の移動局と８０２．１６ｍ準拠の移動局とをサポートする８０２．１６ｍのフレーム構成例を示す。【００２９】
図６に示すように、８０２．１６ｍのフレームは、基地局と８０２．１６ｅ準拠の移動局とが通信を行なう領域（以下、８０２．１６ｅ通信領域と表記する）と、基地局と８０２．１６ｍ準拠の移動局とが通信を行なう領域（以下、８０２．１６ｍ通信領域と表記する）とを含む。ここで、８０２．１６ｍ準拠の移動局は、８０２．１６ｅ準拠の移動局としても動作が可能であり、８０２．１６ｅ準拠の移動局用の通信領域で通信を行なうこともできる。【００３０】
一方、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）  Ｆｏｒｕｍでは、８０２．１６に基づく無線通信システムにおける周波数帯域の利用形態の１つとして、Ｆｒａｃｔｉｏｎａｌ  Ｆｒｅｑｕｅｎｃｙ  Ｒｅｕｓｅ（ＦＦＲ）が提案されている。【００３１】
図７に、ＦＦＲを適用する通信システムに用いられる無線フレームの構成例を示す。
図７において、基地局ＢＳ１〜３に割り当てられるフレームに、２つの時間領域Ｒ１  Ｚｏｎｅ及びＲ３  Ｚｏｎｅが設けられる。【００３２】
ここで、Ｒ１  Ｚｏｎｅについては隣接する基地局同士で共通の周波数帯域を割り当て、Ｒ３  Ｚｏｎｅについては隣接する基地局同士で異なる周波数帯域を割り当てる。例えば、Ｒ１  ＺｏｎｅについてはＢＳ１〜３に周波数帯域ｆ１〜ｆ３のいずれかを割り当て（隣接する基地局に同じ周波数帯域を割り当ててもよい）、Ｒ３  ＺｏｎｅについてはＢＳ１はｆ１、Ｂ２はｆ２といったように決められた異なる周波数帯域を割り当てる。【００３３】
このとき、移動局と基地局との間の無線品質が比較的良い、例えば基地局付近に位置する移動局にＲ１  Ｚｏｎｅを割り当て、移動局と基地局との間の無線品質が比較的良くない、例えば基地局が展開する通信エリアのエッジに位置する移動局にＲ３  Ｚｏｎｅを割り当てることにより、スループットの向上とカバレッジの確保の両立が可能となる。【００３４】
このように、前述の８０２．１６ｍシステムおよびＦＦＲを適用したシステムでは、あるフレームの中に複数の通信領域が存在し、移動局は、自局についての無線状況や能力、無線規格等に応じて、基地局と適切な通信領域で通信を行なう。【００３５】
【非特許文献１】ＩＥＥＥ  Ｓｔｄ  ８０２．１６ＴＭ−２００４
【非特許文献２】ＩＥＥＥ  Ｓｔｄ  ８０２．１６ｅＴＭ−２００５
【非特許文献３】ＩＥＥＥ  ８０２．１６ｍ  Ｓｙｓｔｅｍ  Ｒｅｑｕｉｒｅｍｅｎｔｓ
【非特許文献４】Ｍｏｂｉｌｅ  ＷｉＭＡＸ  −  ＰａｒｔＩ：Ａ  Ｔｅｃｈｎｉｃａｌ  Ｏｖｅｒｖｉｅｗ  ａｎｄ  Ｐｅｒｆｏｒｍａｎｃｅ  Ｅｖａｌｕａｔｉｏｎ（Ａｕｇｕｓｔ，２００６）
【発明の開示】
【発明が解決しようとする課題】
【００３６】
例えば、前述の８０２．１６ｍシステムおよびＦＦＲを適用したシステムにおいても、移動局は、Ｂａｎｄｗｉｄｔｈ  Ｒｅｑｕｅｓｔメッセージ等を送信する通信領域の割り当てを要求する際に、当該基地局に対しＣＤＭＡ  Ｃｏｄｅを送信する。【００３７】
ところで、前述のように、基地局は、受信したＣＤＭＡ  Ｃｏｄｅの送信元である移動局を識別できない場合がある。【００３８】
よって、例えば、８０２．１６ｍシステムにおいて、基地局は、ＣＤＭＡ  Ｃｏｄｅを送信した移動局が、８０２．１６ｅ準拠の移動局であるか、８０２．１６ｍ準拠の端末であるかを識別できないため、移動局に対し通信領域を割り当てる際は、８０２．１６ｅ準拠の移動局と８０２．１６ｍ準拠の移動局とのいずれもが通信可能である８０２．１６ｅ通信領域を割り当てることになる。【００３９】
しかし、上記の場合８０２．１６ｍ準拠の移動局は、８０２．１６ｍ領域で通信可能であるにもかかわらず、８０２．１６ｅ通信領域を使用するため、８０２．１６ｅ通信領域のリソースが多く消費され非効率となり得る。【００４０】
一方、ＦＦＲシステムにおいても同様に、基地局は、ＣＤＭＡ  Ｃｏｄｅを送信した移動局が、Ｒ１  Ｚｏｎｅの通信領域で通信する移動局であるか、Ｒ３  Ｚｏｎｅの通信領域で通信する移動局であるかを識別できない。【００４１】
よって、基地局は、移動局に対し、Ｒ１  Ｚｏｎｅで通信する移動局とＲ３  Ｚｏｎｅで通信する移動局とのいずれもが通信可能なＲ３  Ｚｏｎｅの通信領域を割り当てることになる。これにより、Ｒ１  Ｚｏｎｅで通信する移動局にも、Ｒ３  Ｚｏｎｅの通信領域が割り当てられるため、Ｒ３  Ｚｏｎｅのリソースが多く消費され非効率となり得る。
本件は、無線フレームに複数の通信領域を設定可能な無線通信システムにおいて、異なる能力や無線環境等にある移動局についても無線リソースの割り当てを効率的に行なうことを目的の一つとする。【００４２】
なお、上記８０２．１６ｍシステム又はＦＦＲを適用したシステムは本件が適用可能な通信システムの例であり、これに限定されるものではない。【００４３】
また、前記目的に限らず、後述する実施の形態に示す各構成により導かれる作用効果であって、従来の技術によっては得られない作用効果を奏することも他の目的の一つとして位置付けることができる。
【課題を解決するための手段】
【００４４】
例えば、第１の移動局から所定のコード群に含まれる第１のコードを受信する場合は、該第１のコードに対応する第１の通信領域内の無線リソースを該第１の移動局に割り当て、第２の移動局から前記所定のコード群に含まれない第２のコードを受信する場合は、該第２のコードに対応する第２の通信領域内の無線リソースを該第２の移動局に割り当てる、無線リソースの割り当て方法を用いることができる。
【発明の効果】
【００４５】
前記方法によれば、無線フレームに複数の通信領域を設定可能な無線通信システムにおいて、異なる能力や無線環境等にある移動局についても無線リソースの割り当てを効率的に行なうことが可能となる。
【図面の簡単な説明】
【００４６】
【図１】Ｐ−ＭＰ型の通信システムのイメージ図である。
【図２】８０２．１６ｄ／ｅにおけるフレーム構成例を示す図である。
【図３】ＵＬ  ＭＡＰ  ＩＥの例を示す図である。
【図４】移動局が基地局に対し、通信領域の割り当てを要求する際のシーケンス図である。
【図５】ＣＤＭＡ  Ａｌｌｏｃａｔｉｏｎ  ＩＥを含むＵＬ−ＭＡＰ  ＩＥの例を示す図である。
【図６】８０２．１６ｍシステムに用いられるフレーム構成の例を示す図である。
【図７】ＦＦＲを適用する通信システムに用いられるフレーム構成の例を示す図である。
【図８】本実施例で用いられるＵＬサブフレーム構成の例を示す図である。
【図９】本実施例に用いられる基地局の構成例を示す図である。
【図１０】本実施例に用いられる移動局の構成例を示す図である。
【図１１】第１実施例におけるＣＤＭＡ  Ｃｏｄｅのパターンの割り振り例を示す図である。
【図１２】第１実施例におけるＵＣＤメッセージの例を示す図である。
【図１３】第１実施例における通信領域の割り当てシーケンス図である。
【図１４】第１実施例におけるＵＬ−ＭＡＰの例を示す図である。
【図１５】第１実施例におけるＣＤＭＡ  Ａｌｌｏｃａｔｉｏｎ  ＩＥ設定フロー例を示すフローチャートである。
【図１６】第１実施例において、８０２．１６ｅ準拠の移動局がＵＣＤメッセージを受信する際の処理フロー例を示すフローチャートである。
【図１７】第１実施例において、８０２．１６ｍ準拠の移動局がＵＣＤメッセージを受信する際の処理フロー例を示すフローチャートである。
【図１８】第１実施例において、８０２．１６ｅ準拠の移動局がＣＤＭＡ  Ｃｏｄｅを送信する際の処理フロー例を示すフローチャートである。
【図１９】第１実施例において、８０２．１６ｍ準拠の移動局がＣＤＭＡ  Ｃｏｄｅを送信する際の処理フロー例を示すフローチャートである。
【図２０】第１実施例の変形例におけるＣＤＭＡ  Ｃｏｄｅのパターンの割り振り例を示す図である。
【図２１】第１実施例の変形例におけるＵＣＤメッセージの例を示す図である。
【図２２】第１実施例の変形例における通信領域の割り当てシーケンス図である。
【図２３】第１実施例の変形例におけるＵＬ−ＭＡＰの例を示す図である。
【図２４】第１実施例の変形例におけるＣＤＭＡ  Ａｌｌｏｃａｔｉｏｎ  ＩＥ設定フロー例を示すフローチャートである。
【図２５】第１実施例の変形例において、移動局がＵＣＤメッセージを受信する際の処理フロー例を示すフローチャートである。
【図２６】第１実施例の変形例において、移動局がＣＤＭＡ  Ｃｏｄｅを送信する際の処理フロー例を示すフローチャートである。
【図２７】移動局がＺｏｎｅを選択するフローの例を示すフローチャートである。
【図２８】移動局がＺｏｎｅを選択するフローの他の例を示すフローチャートである。
【図２９】基地局が移動局に対し信号の干渉値を通知するシーケンス図である。
【図３０】干渉値の情報を含むＵＬ−ＭＡＰ  ＩＥの例を示す図である。
【図３１】移動局がＺｏｎｅを選択するフローの更に他の例を示すフローチャートである。
【図３２】第２実施例で用いられるＵＬサブフレーム構成の例を示す図である。
【図３３】第２実施例におけるＵＣＤメッセージの例を示す図である。
【図３４】第２実施例における通信領域の割り当てシーケンス図である。
【図３５】第２実施例におけるＣＤＭＡ  Ａｌｌｏｃａｔｉｏｎ  ＩＥ設定フロー例を示すフローチャートである。
【図３６】第２実施例において、移動局がＵＣＤメッセージを受信する際の処理フロー例を示すフローチャートである。
【図３７】第２実施例において、８０２．１６ｅ準拠の移動局がＣＤＭＡ  Ｃｏｄｅを送信する際の処理フロー例を示すフローチャートである。
【図３８】第２実施例において、８０２．１６ｍ準拠の移動局がＣＤＭＡ  Ｃｏｄｅを送信する際の処理フロー例を示すフローチャートである。
【図３９】第２実施例の変形例で用いられるＵＬサブフレーム構成の例を示す図である。
【図４０】第２実施例の変形例における通信領域の割り当てシーケンス図である。
【図４１】第２実施例の変形例におけるＣＤＭＡ  Ａｌｌｏｃａｔｉｏｎ  ＩＥ設定フロー例を示すフローチャートである。
【図４２】第２実施例の変形例において、移動局がＵＣＤメッセージを受信する際の処理フロー例を示すフローチャートである。
【図４３】第２実施例の変形例において、移動局がＣＤＭＡ  Ｃｏｄｅを送信する際の処理フロー例を示すフローチャートである。
【符号の説明】
【００４７】
１  ＮＷインタフェース部
２  パケット識別部
３、１８  パケットバッファ部
４  ＭＡＰ情報生成部
５、１９  制御メッセージ生成部
６、２０  ＰＤＵ生成部
７、２２  送信部
８、２３  デュプレクサ
９、２４  アンテナ
１０、２５  受信部
１１、２１  コード処理部
１２、２６  無線品質測定部
１３、２７  制御部
１４、２８  記憶部
１５、３１  制御メッセージ生成部
１６  パケット生成部
１７  アプリケーション処理部
２９  ＭＡＰ情報解析部
３０  制御メッセージ抽出部
【発明を実施するための最良の形態】
【００４８】
以下、図面を用いて実施の形態について説明する。
なお、以下では、本実施例が適用される通信システムの例として、上述の８０２．１６ｍシステム又はＦＦＲを適用したシステムについて説明するが、これに限定されるものではなく、例えば、基地局が複数の異なる能力や無線環境等にある移動局に対し無線リソースを割り当てる他の通信システムについても適用可能である。【００４９】
（１）実施例の概要
（ａ）フレーム構成例
図８に、本実施例で用いられる無線フレームのＵＬサブフレームの例を示す。図８において、（１）は８０２．１６ｍシステムにおけるＵＬサブフレーム、（２）はＦＦＲを適用したシステムのＵＬサブフレームの例をそれぞれ示している。【００５０】
８０２．１６ｍシステムのＵＬサブフレームは、基地局と８０２．１６ｅ準拠の移動局とが通信を行なう８０２．１６ｅ通信領域、基地局と８０２．１６ｍ準拠の移動局とが通信を行なう８０２．１６ｍ通信領域、及び、ＣＤＭＡ  Ｃｏｎｔｅｎｔｉｏｎ  Ｒｅｇｉｏｎの領域を含む。なお、８０２．１６ｍ準拠の移動局は、８０２．１６ｅ準拠の移動局としても動作が可能であるので、８０２．１６ｅ通信領域でも通信可能である。【００５１】
ＦＦＲを適用したシステムのＵＬサブフレームは、隣接する基地局同士で共通の周波数帯を割り当てるＲ１  Ｚｏｎｅ、隣接する基地局同士で異なる周波数帯を割り当てるＲ３  Ｚｏｎｅ、及び、ＣＤＭＡ  Ｃｏｎｔｅｎｔｉｏｎ  Ｒｅｇｉｏｎの領域を含む。なお、Ｒ１  Ｚｏｎｅが割り当てられる移動局はＲ３  Ｚｏｎｅでも通信可能である。【００５２】
上記のいずれのシステムにおいてもＣＤＭＡ  Ｃｏｎｔｅｎｔｉｏｎ  Ｒｅｇｉｏｎは複数の移動局に共通の通信領域であり、この領域において各移動局で所定の信号パターンの中から選択したＣＤＭＡ  Ｃｏｄｅ（コード）が送信される。なお、前記選択には、乱数を用いるなどの所定の選択基準を適用することができる。【００５３】
（ｂ）基地局
図９に、本実施例に用いられる基地局の構成例を示す。
図９において、１はＮＷ（ネットワーク）インタフェース部、２はパケット識別部、３はパケットバッファ部、４はＭＡＰ情報生成部、５は制御メッセージ生成部、６はＰＤＵ（Ｐｒｏｔｏｃｏｌ  Ｄａｔａ  Ｕｎｉｔ）生成部、７は送信部、８はデュプレクサ、９はアンテナ、１０は受信部、１１はコード処理部、１２は無線品質測定部、１３は制御部、１４は記憶部、１５は制御メッセージ抽出部、１６はパケット生成部を示す。【００５４】
ＮＷインタフェース部１は、上位のネットワークとのインタフェースである。【００５５】
パケット識別部２は、上位のネットワークを介して受信したパケットを識別し、パケットバッファ部３の適切な部分に当該パケットを格納する。【００５６】
パケットバッファ部３は、パケット識別部２で識別されたパケットを格納し保持する。【００５７】
ＭＡＰ情報生成部４は、無線フレームの構成についての情報であるＤＬ−ＭＡＰ  ＩＥ及びＵＬ−ＭＡＰ  ＩＥ（ＭＡＰ情報）を生成する。基地局は、当該ＭＡＰ情報を用いて移動局に対する通信制御を行なう。【００５８】
ＭＡＰ情報生成部４は、ＣＤＭＡ  Ｃｏｎｔｅｎｔｉｏｎ  Ｒｅｇｉｏｎの設定を行なう。【００５９】
制御メッセージ生成部５は、移動局へ送信する制御メッセージを生成する。基地局は、当該制御メッセージを利用して、移動局の通信制御を行なうこともできる。また、制御メッセージ生成部５は、ＣＤＭＡ  Ｃｏｄｅのパターンの設定を行なう。【００６０】
ＰＤＵ生成部６は、パケットバッファ部３に格納されているパケット、ＭＡＰ情報生成部４で生成されたＭＡＰ情報、制御メッセージ生成部５で生成された制御メッセージを用いて、無線フレームで送信するＰＤＵ（ＰｒｏｔｏｃｏｌＤａｔａ Ｕｎｉｔ）を生成する。【００６１】
送信部７は、ＰＤＵ生成部６で生成されたデータについての符号化処理及び変調処理を行なう。【００６２】
デュプレクサ８は、フィルタを用いて信号の送信と受信とを切り替える。【００６３】
アンテナ９は、移動局との信号の送受信を行なう。【００６４】
なお、図９では一つのアンテナ９とデュプレクサ８とを設けているが、信号の送信及び受信を異なるアンテナを用いて行ないそれぞれにフィルタを設けても良い。【００６５】
受信部１０は、受信信号の復調処理及び復号化処理を行なう。また、受信部１０は、受信信号について、制御信号（ＣＤＭＡ  Ｃｏｄｅ、ＡＣＫ／ＮＡＣＫ  Ｃｏｄｅ等）はコード処理部１１へ、データ信号は制御メッセージ抽出部１５へ転送する。【００６６】
コード処理部１１は、受信部１０で処理された制御信号のコードに基づいて、当該制御信号に含まれる情報（制御の種類や送信元の移動局等）の識別を行ない、当該識別した情報を制御部１３へ送る。【００６７】
無線品質測定部１２は、受信部１０で処理された信号の品質測定、及び、ＵＬの期間での受信信号の干渉測定を行なう。【００６８】
制御部１３は、パケットバッファ部３でのパケットの格納状況と、移動局から受信した制御情報（制御信号又は制御メッセージ）とに基づいてスケジューリング処理を行ない、ＭＡＰ情報生成部４でのＭＡＰ情報の生成及び制御メッセージ生成部５での制御メッセージの生成を制御する。【００６９】
記憶部１４は、後述のＵＣＤ（Ｕｐｌｉｎｋ  Ｃｈａｎｎｅｌ  Ｄｅｓｃｒｉｐｔｏｒ）メッセージに設定した、ＣＤＭＡ  Ｃｏｄｅのパターンの範囲についての情報を記憶する。また、無線品質測定部２６で測定した受信信号についての測定結果を記憶する。なお、記憶部１４は、制御部１３に設けられてもよいし、別途設けられてもよい。【００７０】
制御メッセージ抽出部１５は、受信部１０で処理されたデータ信号に含まれる制御メッセージを取得し、当該制御メッセージの情報を制御部１３へ送る。【００７１】
パケット生成部１６は、制御メッセージ抽出部１５からデータ信号を受信し、当該データ信号に含まれるデータを用いて、上位のネットワークへ送信するパケットを生成する。パケット生成部１６は、生成したパケットをＮＷインタフェース部１へ転送する。【００７２】
（ｃ）移動局
図１０に、本実施例に用いられる移動局の構成例を示す。
図１０において、１７はアプリケーション処理部、１８はパケットバッファ部、１９は制御メッセージ生成部、２０はＰＤＵ生成部、２１はコード生成部、２２は送信部、２３はデュプレクサ、２４はアンテナ、２５は受信部、２６は無線品質測定部、２７は制御部、２８は記憶部、２９はＭＡＰ情報解析部、３０は制御メッセージ抽出部、３１パケット生成部を示す。【００７３】
アプリケーション処理部１７は、送信データ又受信データの上位レイヤでの処理（例えば、表示部への表示など）を行なう。【００７４】
パケットバッファ部１８は、アプリケーション処理部１７から転送されてきたパケットを格納し保持する。【００７５】
制御メッセージ生成部１９は、基地局へ送信する制御メッセージ（例えばＢａｎｄｗｉｄｔｈ  Ｒｅｑｕｅｓｔ等）を生成する。【００７６】
ＰＤＵ生成部２０は、パケットバッファ部１８に格納されているデータ又は制御メッセージ生成部１９で生成された制御メッセージを用いて、無線フレームで送信するＰＤＵを生成する。【００７７】
コード生成部２１は、ＣＤＭＡ  Ｃｏｄｅ、ＨＡＲＱ  ＡＣＫ、ＣＱＩ（Ｃｈａｎｎｅｌ  Ｑｕａｌｉｔｙ  Ｉｎｄｉｃａｔｏｒ）等のコードを生成する。【００７８】
送信部２２は、ＰＤＵ生成部２０で生成されたデータ及びコード生成部２１で生成されたコードについて符号化処理及び変調処理を行なう。【００７９】
デュプレクサ２３は、フィルタを用いて信号の受信及び送信を切り替える。【００８０】
アンテナ２４は、基地局との信号の送受信を行なう。【００８１】
なお、図１０では一つのアンテナ２４とデュプレクサ２３とを設けているが、信号の送信及び受信を異なるアンテナを用いて行ないそれぞれにフィルタを設けても良い。【００８２】
受信部２５は、受信信号の復調処理及び復号化処理を行なう。
無線品質測定部２６は、受信部２５で処理された信号の品質測定、及び、信号強度の測定を行なう。【００８３】
制御部２７は、パケットバッファ部１８でのパケットの格納状況と、基地局から受信した制御情報とに基づいてスケジューリング処理を行ない、制御メッセージ生成部１９での制御メッセージの生成及びコード生成部２１でのコードの生成を制御する。【００８４】
記憶部２８は、基地局から送られてくるＵＣＤメッセージに含まれる、ＣＤＭＡ  Ｃｏｄｅのパターンの範囲についての情報を記憶する。また、無線品質測定部２６で測定した受信信号についての測定結果を記憶する。なお、記憶部２８は、制御部２７に設けられてもよいし、別途設けられてもよい。【００８５】
ＭＡＰ情報解析部２９は、受信部１０で処理された受信信号に含まれるＭＡＰ情報を解析する。例えば、ＭＡＰ情報解析部２９は、ＭＡＰ情報を基にＵＬサブフレームにおけるＣＤＭＡ  Ｃｏｎｔｅｎｔｉｏｎ  Ｒｅｇｉｏｎの位置を知ることが可能である。【００８６】
制御メッセージ抽出部３０は、受信したデータ信号に含まれる制御メッセージを取得し、当該制御メッセージの情報を制御部２７へ送る。【００８７】
パケット生成部３１は、受信したデータ信号を用いてパケットを生成しアプリケーション処理部１７へ送る。【００８８】
（２）第１実施例
図１１に、本実施例における移動局へのＣＤＭＡ  Ｃｏｄｅのパターンの割り振り方の例を示す。【００８９】
図１１において、ｃ０〜ｃ７はＣＤＭＡ  Ｃｏｄｅのパターンの範囲を示す。
パターンの範囲は、通信領域別、及び用途別に設定することができる。例えば、８０２．１６ｅ通信領域用及び８０２．１６ｅ通信領域用について、それぞれ用途毎にパターン範囲ｃ０〜３及びｃ４〜７が設定される。【００９０】
ＣＤＭＡ  Ｃｏｄｅのパターンの範囲の設定は基地局で行なうことができ、当該設定情報は、例示的に、ＵＣＤ（Ｕｐｌｉｎｋ  Ｃｈａｎｎｅｌ  Ｄｅｓｃｒｉｐｔｏｒ）メッセージにより移動局に対しブロードキャストされる。【００９１】
なお、上記の例は、８０２．１６ｅ通信領域と８０２．１６ｍ通信領域とでパターンの範囲が重複しないよう設定するものであるが、例えば用途により一部範囲が重複するよう設定されてもよいものとする。【００９２】
図１２に、ＵＣＤメッセージに含まれる情報の例を示す。
ＵＣＤメッセージに含まれるＣＤＭＡ  Ｃｏｄｅについての設定情報は、例示する２５６個のＣＤＭＡ  Ｃｏｄｅのパターンを、通信領域毎や用途毎に複数の範囲に区切るものである。【００９３】
例えば、８０２．１６ｅ通信領域用のＩｎｉｔｉａｌ  Ｒａｎｇｉｎｇ、Ｐｅｒｉｏｄｉｃ  Ｒａｎｇｉｎｇ、Ｂａｎｄｗｉｄｔｈ  Ｒｅｑｕｅｓｔ、及びＨａｎｄｏｖｅｒ  Ｒａｎｇｉｎｇ、及び、８０２．１６ｍ通信領域用のＩｎｉｔｉａｌ  Ｒａｎｇｉｎｇ、Ｐｅｒｉｏｄｉｃ  Ｒａｎｇｉｎｇ、Ｂａｎｄｗｉｄｔｈ  Ｒｅｑｕｅｓｔ、及びＨａｎｄｏｖｅｒ  ＲａｎｇｉｎｇについてそれぞれＣＤＭＡ  Ｃｏｄｅのパターンの範囲が設定され、当該範囲の区切りが示される。【００９４】
具体的には、ＣＤＭＡ  Ｃｏｄｅのパターンの範囲の先頭を示すパラメータ“Ｓ”と、それぞれのコード数を示すパラメータ“Ｎ”、“Ｍ”、“Ｌ”、“Ｏ”、“Ｎ＿１６ｍ”、“Ｍ＿１６ｍ”、“Ｌ＿１６ｍ”、“Ｏ＿１６ｍ”が示される。ここで、ある通信領域で、ある用途に用いられるＣＤＭＡ  Ｃｏｄｅのパターンの範囲は、例示的に、“Ｓ”から“（Ｓ＋Ｎ＋Ｍ＋Ｌ＋Ｏ＋Ｎ＿１６ｍ＋Ｍ＿１６ｍ＋Ｌ＿１６ｍ＋Ｏ＿１６ｍ）  ｍｏｄ  ２５６”となる。例えば、“Ｓ”が８０、“（Ｓ＋Ｎ＋Ｍ＋Ｌ＋Ｏ＋Ｎ＿１６ｍ＋Ｍ＿１６ｍ＋Ｌ＿１６ｍ＋Ｏ＿１６ｍ）  ｍｏｄ  ２５６”が１０であった場合、ＣＤＭＡ  Ｃｏｄｅのパターンの範囲は、８０−２５５及び０−１０となる。【００９５】
図１３に、基地局と移動局との間で通信領域の割り当てが行なわれる際のシーケンス例を示す。【００９６】
Ｓ６では、基地局は、８０２．１６ｅ準拠の移動局及び８０２．１６ｍ準拠の移動局に対して、ＣＤＭＡ  Ｃｏｄｅのパターンの設定情報を含んだＵＣＤメッセージを送信する。【００９７】
また、Ｓ７で、基地局は、８０２．１６ｅ準拠の移動局及び８０２．１６ｍ準拠の移動局に対して、８０２．１６ｅ通信領域と８０２．１６ｍ通信領域とで共通に使用されるＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【００９８】
Ｓ８では、８０２．１６ｅ準拠の移動局において、Ｓ６で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図１２において８０２．１６ｅ通信領域用のＢａｎｄｗｉｄｔｈ  Ｒｅｑｕｅｓｔ  ｃｏｄｅの範囲からＣＤＭＡ  Ｃｏｄｅを選択する。８０２．１６ｅ準拠の移動局は、選択したＣＤＭＡ  Ｃｏｄｅを基地局に送信する。【００９９】
Ｓ９では、８０２．１６ｍ準拠の移動局において、Ｓ６で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図１２において８０２．１６ｍ通信領域用のＢａｎｄｗｉｄｔｈ  Ｒｅｑｕｅｓｔ  ｃｏｄｅの範囲からＣＤＭＡ  Ｃｏｄｅを選択する。８０２．１６ｍ準拠の移動局は、選択したＣＤＭＡ  Ｃｏｄｅを基地局に送信する。【０１００】
Ｓ１０では、基地局は、Ｓ８で受信した８０２．１６ｅ領域用のＣＤＭＡ  Ｃｏｄｅに基づいて、ＵＬサブフレームの８０２．１６ｅ通信領域を割り当てるＣＤＭＡ  Ａｌｌｏｃａｔｉｏｎ  ＩＥを生成し、８０２．１６ｅ準拠の移動局に対して送信する。【０１０１】
Ｓ１１では、基地局は、Ｓ９で受信した８０２．１６ｍ領域用のＣＤＭＡ  Ｃｏｄｅに基づいて、ＵＬサブフレームの８０２．１６ｍ通信領域を割り当てるＣＤＭＡ  Ａｌｌｏｃａｔｉｏｎ  ＩＥを生成し、８０２．１６ｍ準拠の移動局に対して送信する。【０１０２】
ただし、８０２．１６ｍ準拠の移動局は、８０２．１６ｍ通信領域及び８０２．１６ｅ通信領域での通信が可能であるため、例えば、８０２．１６ｍ通信領域の無線リソースが不足している場合は、８０２．１６ｍ準拠の移動局に対しても８０２．１６ｅ通信領域を割り当てることができる。【０１０３】
したがって、Ｓ１１では、基地局は、Ｓ９で受信した８０２．１６ｍ領域用のＣＤＭＡ  Ｃｏｄｅに基づいて、ＵＬサブフレームの８０２．１６ｅ通信領域を割り当てるＣＤＭＡ  Ａｌｌｏｃａｔｉｏｎ  ＩＥを生成し、８０２．１６ｍ準拠の移動局に対して送信する場合もある。【０１０４】
Ｓ１２では、８０２．１６ｅ準拠の移動局は、Ｓ１０で受信したＣＤＭＡ  Ａｌｌｏｃａｔｉｏｎ  ＩＥにより割り当てられたＵＬサブフレームの領域、すなわち８０２．１６ｅ通信領域で、基地局に対しＢａｎｄｗｉｄｔｈ  Ｒｅｑｕｅｓｔメッセージを送信する。【０１０５】
Ｓ１３では、８０２．１６ｍ準拠の移動局は、Ｓ１１で受信したＣＤＭＡ  Ａｌｌｏｃａｔｉｏｎ  ＩＥにより割り当てられたＵＬサブフレームの領域、すなわち８０２．１６ｍ通信領域又は８０２．１６ｅ通信領域で、基地局に対しＢａｎｄｗｉｄｔｈ  Ｒｅｑｕｅｓｔメッセージを送信する。【０１０６】
図１４に、基地局が、８０２．１６ｅ通信領域用のＣＤＭＡ  Ｃｏｄｅと８０２．１６ｍ領域用のＣＤＭＡ  Ｃｏｄｅとを受信した際に、それぞれのＣＤＭＡ  Ｃｏｄｅに対して設定するＵＬ−ＭＡＰの例を示す。【０１０７】
基地局は、８０２．１６ｅ通信領域用のＣＤＭＡ  Ｃｏｄｅに対しては、ＣＤＭＡ  Ａｌｌｏｃａｔｉｏｎ  ＩＥによって指定されるＵＬサブフレームの通信領域を、８０２．１６ｅ通信領域内に設定し、８０２．１６ｍ通信領域用のＣＤＭＡ  Ｃｏｄｅに対しては、ＣＤＭＡ  Ａｌｌｏｃａｔｉｏｎ  ＩＥによって指定されるＵＬサブフレームの通信領域を、８０２．１６ｍ通信領域内に設定する。【０１０８】
また、図１５に、基地局が、ＣＤＭＡ  Ｃｏｄｅを受信し、当該ＣＤＭＡ  Ｃｏｄｅの送信元の移動局に対しＣＤＭＡ  Ａｌｌｏｃａｔｉｏｎ  ＩＥを設定する際の処理フロー例を示す。【０１０９】
Ｓ１４では、基地局はＣＤＭＡ  Ｃｏｄｅを受信する。【０１１０】
Ｓ１５では、Ｓ１４において受信したＣＤＭＡ  Ｃｏｄｅが８０２．１６ｅ通信領域用のＣＤＭＡ  Ｃｏｄｅのパターンであるかを判定する。８０２．１６ｅ通信領域用のＣＤＭＡ  Ｃｏｄｅのパターンであると判定する場合はＳ１６へ、８０２．１６ｅ通信領域用のＣＤＭＡ  Ｃｏｄｅのパターンでない（８０２．１６ｍ通信領域用のＣＤＭＡ−Ｃｏｄｅのパターンである）と判定する場合はＳ１８へ進む。【０１１１】
Ｓ１６では、８０２．１６ｅ通信領域の無線リソースの有無を判定する。８０２．１６ｅ通信領域に無線リソースが十分にあると判定される場合（Ｓ１６でＹｅｓの場合）はＳ１７へ進み、８０２．１６ｅ通信領域に無線リソースが十分に無いと判定される場合（Ｓ１６でＮｏの場合）はＣＤＭＡ  Ａｌｌｏｃａｔｉｏｎ  ＩＥを設定せず処理を終了する。【０１１２】
Ｓ１７では、ＣＤＭＡ  Ａｌｌｏｃａｔｉｏｎ  ＩＥを８０２．１６ｅ通信領域に設定する。【０１１３】
Ｓ１８では、８０２．１６ｍ通信領域の無線リソースの有無を判定する。８０２．１６ｍ通信領域に無線リソースが十分にあると判定される場合（Ｓ１８でＹｅｓの場合）はＳ１９へ、８０２．１６ｍ通信領域に無線リソースが十分に無いと判定される場合（Ｓ１８でＮｏの場合）はＳ１６へ進む。【０１１４】
Ｓ１９では、ＣＤＭＡ  Ａｌｌｏｃａｔｉｏｎ  ＩＥを８０２．１６ｍ通信領域に設定する。【０１１５】
図１６、図１７は、移動局が、基地局からブロードキャストされるＵＣＤメッセージを受信する際の処理フロー例を示すフローチャートである。
図１６は、８０２．１６ｅ準拠の移動局がＵＣＤメッセージを受信する場合の処理フロー例を示す。【０１１６】
Ｓ２０では、移動局はＵＣＤメッセージを受信する。【０１１７】
Ｓ２１では、Ｓ２０において受信したＵＣＤメッセージに含まれる、ＣＤＭＡ  Ｃｏｄｅのパターンの範囲を示す情報を記憶する。８０２．１６ｅ準拠の移動局は、当該情報のうち、“Ｓ”、“Ｎ”、“Ｍ”、“Ｌ”、“Ｏ”のパラメータの値を記憶する（図１２参照）。【０１１８】
図１７は、８０２．１６ｍ準拠の移動局がＵＣＤメッセージを受信する場合の処理フロー例を示す。【０１１９】
Ｓ２２では、移動局はＵＣＤメッセージを受信する。【０１２０】
Ｓ２３では、Ｓ２２において受信したＵＣＤメッセージに含まれる、ＣＤＭＡ  Ｃｏｄｅのパターンの範囲を示す情報を記憶する。８０２．１６ｅ準拠の移動局は、当該情報のうち、“Ｓ”、“Ｎ”、“Ｍ”、“Ｌ”、“Ｏ”、“Ｎ＿１６ｍ”、“Ｍ＿１６ｍ”、“Ｌ＿１６ｍ”、“Ｏ＿１６ｍ”のパラメータの値を記憶する（図１２参照）。【０１２１】
図１８、図１９は、移動局が、基地局に対しＣＤＭＡ  Ｃｏｄｅを送信する際の処理フロー例を示すフローチャートである。【０１２２】
図１８は、８０２．１６ｅ準拠の移動局がＣＤＭＡ  Ｃｏｄｅを送信する場合の処理フロー例を示す。【０１２３】
Ｓ２４では、移動局はＵＬ−ＭＡＰ  ＩＥを受信する。このＵＬ−ＭＡＰ  ＩＥには、移動局がＣＤＭＡ  Ｃｏｄｅを送信できるＣＤＭＡ  Ｃｏｎｔｅｎｔｉｏｎ  Ｒｅｇｉｏｎについての位置情報が含まれる。【０１２４】
Ｓ２５では、Ｓ２４で受信したＵＬ−ＭＡＰ  ＩＥに示されるＣＤＭＡ  Ｃｏｎｔｅｎｔｉｏｎ  Ｒｅｇｉｏｎの中から、自局がＣＤＭＡ  Ｃｏｄｅを送信するスロットを選択する。【０１２５】
Ｓ２６では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”を参照し、基地局へ送信するＣＤＭＡ  Ｃｏｄｅのパターンを選択する（図１２参照）。【０１２６】
例えば、Ｂａｎｄｗｉｄｔｈ  Ｒｅｑｕｅｓｔ Ｃｏｄｅを送信する場合、“Ｓ”＋“Ｎ”＋“Ｍ”から“Ｓ”＋“Ｎ”＋“Ｍ”＋“Ｏ”−１の範囲の中から、送信するＣＤＭＡ  Ｃｏｄｅのパターンを選択する。【０１２７】
Ｓ２７では、Ｓ２５において選択したＣＤＭＡ  Ｃｏｎｔｅｎｔｉｏｎ  Ｒｅｇｉｏｎのスロットで、Ｓ２６において選択したＣＤＭＡ  Ｃｏｄｅのパターンを基地局に対して送信する。【０１２８】
図１９は、８０２．１６ｍ準拠の移動局がＣＤＭＡ  Ｃｏｄｅを送信する場合の処理フロー例を示す。【０１２９】
Ｓ２８では、移動局はＵＬ−ＭＡＰ  ＩＥを受信する。このＵＬ−ＭＡＰ  ＩＥには、移動局がＣＤＭＡ  Ｃｏｄｅを送信できるＣＤＭＡ  Ｃｏｎｔｅｎｔｉｏｎ  Ｒｅｇｉｏｎについての位置情報が含まれる。【０１３０】
Ｓ２９では、Ｓ２８で受信したＵＬ−ＭＡＰ  ＩＥに示されるＣＤＭＡ  Ｃｏｎｔｅｎｔｉｏｎ  Ｒｅｇｉｏｎの中から、自局がＣＤＭＡ  Ｃｏｄｅを送信するスロットを選択する。【０１３１】
Ｓ３０では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”、“Ｎ＿１６ｍ”、“Ｍ＿１６ｍ”、“Ｌ＿１６ｍ”、“Ｏ＿１６ｍ”を参照し、基地局へ送信するＣＤＭＡ  Ｃｏｄｅのパターンを選択する（図１２参照）。【０１３２】
例えば、Ｂａｎｄｗｉｄｔｈ  Ｒｅｑｕｅｓｔ Ｃｏｄｅを送信する場合、“Ｓ”＋“Ｎ”＋“Ｍ”＋“Ｌ”＋“Ｏ”＋“Ｎ＿１６ｍ”＋“Ｍ＿１６ｍ”から“Ｓ”＋“Ｎ”＋“Ｍ”＋“Ｌ”＋“Ｏ”＋“Ｎ＿１６ｍ”＋“Ｍ＿１６ｍ”＋“Ｏ＿１６ｍ”−１の範囲の中から、送信するＣＤＭＡ  Ｃｏｄｅのパターンを選択する。【０１３３】
Ｓ３１では、Ｓ２９において選択したＣＤＭＡ  Ｃｏｎｔｅｎｔｉｏｎ  Ｒｅｇｉｏｎのスロットで、Ｓ３０において選択したＣＤＭＡ  Ｃｏｄｅのパターンを基地局に対して送信する。【０１３４】
（３）第１実施例の変形例
図２０に、本実施例における移動局へのＣＤＭＡ  Ｃｏｄｅのパターンの割り振り方の例を示す。【０１３５】
図２０において、ｃ０〜ｃ７はＣＤＭＡ  Ｃｏｄｅのパターンの範囲を示す。
パターンの範囲は、通信領域別、及び用途別に設定される。例えば、Ｒ３  Ｚｏｎｅ用及びＲ１  Ｚｏｎｅ用について、それぞれ用途毎にパターン範囲ｃ０〜３及びｃ４〜７が設定される。【０１３６】
ＣＤＭＡ  Ｃｏｄｅのパターンの範囲の設定は基地局で行なうことができ、当該設定情報は、例示的に、ＵＣＤメッセージにより移動局に対しブロードキャストされる。【０１３７】
なお、上記の例は、Ｒ３  ＺｏｎｅとＲ１  Ｚｏｎｅとでパターンの範囲が重複しないよう設定するものであるが、例えば用途により一部範囲が重複するよう設定されてもよいものとする。【０１３８】
図２１に、ＵＣＤメッセージに含まれる情報の例を示す。
本実施例のＵＣＤメッセージでは、例えば、Ｒ３  Ｚｏｎｅ用のＩｎｉｔｉａｌ  Ｒａｎｇｉｎｇ、Ｐｅｒｉｏｄｉｃ  Ｒａｎｇｉｎｇ、Ｂａｎｄｗｉｄｔｈ  Ｒｅｑｕｅｓｔ、及びＨａｎｄｏｖｅｒ  Ｒａｎｇｉｎｇ、及び、Ｒ１  Ｚｏｎｅ用のＩｎｉｔｉａｌ  Ｒａｎｇｉｎｇ、Ｐｅｒｉｏｄｉｃ  Ｒａｎｇｉｎｇ、Ｂａｎｄｗｉｄｔｈ  Ｒｅｑｕｅｓｔ、及びＨａｎｄｏｖｅｒ  ＲａｎｇｉｎｇについてそれぞれＣＤＭＡ  Ｃｏｄｅのパターンの範囲が設定され、当該範囲の区切りが示される。【０１３９】
具体的には、ＣＤＭＡ  Ｃｏｄｅのパターンの範囲の先頭を示すパラメータ“Ｓ”と、それぞれのコード数を示すパラメータ“Ｎ”、“Ｍ”、“Ｌ”、“Ｏ”、“Ｎ＿Ｒ１”、“Ｍ＿Ｒ１”、“Ｌ＿Ｒ１”、“Ｏ＿Ｒ１”が示される。ここで、ある通信領域で、ある用途に用いられるＣＤＭＡ  Ｃｏｄｅのパターンの範囲は、例示的に、“Ｓ”から“（Ｓ＋Ｎ＋Ｍ＋Ｌ＋Ｏ＋Ｎ＿Ｒ１＋Ｍ＿Ｒ１＋Ｌ＿Ｒ１＋Ｏ＿Ｒ１）  ｍｏｄ  ２５６”となる。例えば、“Ｓ”が８０、“（Ｓ＋Ｎ＋Ｍ＋Ｌ＋Ｏ＋Ｎ＿Ｒ１＋Ｍ＿Ｒ１＋Ｌ＿Ｒ１＋Ｏ＿Ｒ１）  ｍｏｄ  ２５６”が１０であった場合、ＣＤＭＡ  Ｃｏｄｅのパターンの範囲は、８０−２５５及び０−１０となる。【０１４０】
図２２に、基地局と移動局との間で通信領域の割り当てが行なわれる際のシーケンス例を示す。【０１４１】
Ｓ３２では、基地局は、移動局に対して、ＣＤＭＡ  Ｃｏｄｅのパターンの設定情報を含んだＵＣＤメッセージを送信する。【０１４２】
また、Ｓ３３で、基地局は、移動局に対して、Ｒ３  ＺｏｎｅとＲ１  Ｚｏｎｅとで共通に使用されるＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【０１４３】
Ｓ３４では、Ｒ３  Ｚｏｎｅの通信領域で通信することを選択する移動局（以下、Ｒ３  Ｚｏｎｅを選択する移動局と表記する）において、Ｓ３２で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図２１においてＲ３  Ｚｏｎｅ用のＢａｎｄｗｉｄｔｈ  Ｒｅｑｕｅｓｔ  ｃｏｄｅの範囲からＣＤＭＡ  Ｃｏｄｅを選択する。Ｒ３  Ｚｏｎｅを選択する移動局は、選択したＣＤＭＡ  Ｃｏｄｅを基地局に送信する。【０１４４】
Ｓ３５では、Ｒ１  Ｚｏｎｅの通信領域で通信することを選択する移動局（以下、Ｒ１  Ｚｏｎｅを選択する移動局と表記する）において、Ｓ３２で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図２１においてＲ１  Ｚｏｎｅ用のＢａｎｄｗｉｄｔｈ  Ｒｅｑｕｅｓｔ  ｃｏｄｅの範囲からＣＤＭＡ  Ｃｏｄｅを選択する。Ｒ１  Ｚｏｎｅを選択する移動局は、選択したＣＤＭＡ  Ｃｏｄｅを基地局に送信する。【０１４５】
Ｓ３６では、基地局は、Ｓ３４で受信したＲ３  Ｚｏｎｅ用のＣＤＭＡ  Ｃｏｄｅに基づいて、ＵＬサブフレームのＲ３  Ｚｏｎｅを割り当てるＣＤＭＡ  Ａｌｌｏｃａｔｉｏｎ  ＩＥを生成し、Ｒ３  Ｚｏｎｅを選択する移動局に対して送信する。【０１４６】
Ｓ３７では、基地局は、Ｓ３５で受信したＲ１  Ｚｏｎｅ用のＣＤＭＡ  Ｃｏｄｅに基づいて、ＵＬサブフレームのＲ１  Ｚｏｎｅを割り当てるＣＤＭＡ  Ａｌｌｏｃａｔｉｏｎ  ＩＥを生成し、Ｒ１  Ｚｏｎｅを選択する移動局に対して送信する。【０１４７】
ただし、Ｒ１  Ｚｏｎｅを選択する移動局は、Ｒ１  Ｚｏｎｅ及びＲ３  Ｚｏｎｅでの通信が可能であるため、例えば、Ｒ１  Ｚｏｎｅの無線リソースが不足している場合は、Ｒ１  Ｚｏｎｅを選択する移動局に対してもＲ３  Ｚｏｎｅを割り当てることができる。【０１４８】
したがって、Ｓ３７では、基地局は、Ｓ３５で受信したＲ１  Ｚｏｎｅ用のＣＤＭＡ  Ｃｏｄｅに基づいて、ＵＬサブフレームのＲ３  Ｚｏｎｅを割り当てるＣＤＭＡ  Ａｌｌｏｃａｔｉｏｎ  ＩＥを生成し、Ｒ１  Ｚｏｎｅを選択する移動局に対して送信する場合もある。【０１４９】
Ｓ３８では、Ｒ３  Ｚｏｎｅを選択する移動局は、Ｓ３６で受信したＣＤＭＡ  Ａｌｌｏｃａｔｉｏｎ  ＩＥにより割り当てられたＵＬサブフレームの通信領域、すなわちＲ３  Ｚｏｎｅで、基地局に対しＢａｎｄｗｉｄｔｈ  Ｒｅｑｕｅｓｔメッセージを送信する。【０１５０】
Ｓ３９では、Ｒ１  Ｚｏｎｅを選択する移動局は、Ｓ３７で受信したＣＤＭＡ  Ａｌｌｏｃａｔｉｏｎ  ＩＥにより割り当てられたＵＬサブフレームの領域、すなわちＲ１  Ｚｏｎｅ又はＲ３  Ｚｏｎｅで、基地局に対しＢａｎｄｗｉｄｔｈ  Ｒｅｑｕｅｓｔメッセージを送信する。【０１５１】
図２３に、基地局が、Ｒ３  Ｚｏｎｅ用のＣＤＭＡ  ＣｏｄｅとＲ１  Ｚｏｎｅ用のＣＤＭＡ  Ｃｏｄｅとを受信した際に、それぞれのＣＤＭＡ  Ｃｏｄｅに対して設定するＵＬ−ＭＡＰの例を示す。【０１５２】
基地局は、Ｒ３  Ｚｏｎｅ用のＣＤＭＡ  Ｃｏｄｅに対しては、ＣＤＭＡ  Ａｌｌｏｃａｔｉｏｎ  ＩＥによって指定されるＵＬサブフレームの通信領域を、Ｒ３  Ｚｏｎｅ内に設定し、Ｒ１  Ｚｏｎｅ用のＣＤＭＡ  Ｃｏｄｅに対しては、ＣＤＭＡ  Ａｌｌｏｃａｔｉｏｎ  ＩＥによって指定されるＵＬサブフレームの通信領域を、Ｒ１  Ｚｏｎｅ内に設定する。【０１５３】
図２４は、基地局が、ＣＤＭＡ  Ｃｏｄｅを受信し、当該ＣＤＭＡ  Ｃｏｄｅの送信元の移動局に対しＣＤＭＡ  Ａｌｌｏｃａｔｉｏｎ  ＩＥを設定する際の処理フロー例を示すフローチャートである。【０１５４】
Ｓ４０では、基地局はＣＤＭＡ  Ｃｏｄｅを受信する。【０１５５】
Ｓ４１では、Ｓ４０において受信したＣＤＭＡ  ＣｏｄｅがＲ３  Ｚｏｎｅ用のＣＤＭＡ  Ｃｏｄｅのパターンであるかを判定する。Ｒ３  Ｚｏｎｅ用のＣＤＭＡ  Ｃｏｄｅのパターンであると判定する場合（Ｓ４１でＹｅｓの場合）はＳ４２へ、Ｒ３  Ｚｏｎｅ用のＣＤＭＡ  Ｃｏｄｅのパターンでない（Ｒ１  Ｚｏｎｅ用のＣＤＭＡ−Ｃｏｄｅのパターンである）と判定する場合（Ｓ４１でＮｏの場合）はＳ４４へ進む。【０１５６】
Ｓ４２では、Ｒ３  Ｚｏｎｅの無線リソースの有無を判定する。Ｒ３  Ｚｏｎｅに無線リソースが十分にあると判定される場合（Ｓ４２でＹｅｓの場合）はＳ４３へ進み、Ｒ３  Ｚｏｎｅに無線リソースが十分に無いと判定される場合（Ｓ４２でＮｏの場合）はＣＤＭＡ  Ａｌｌｏｃａｔｉｏｎ  ＩＥを設定せず処理を終了する。【０１５７】
Ｓ４３では、ＣＤＭＡ  Ａｌｌｏｃａｔｉｏｎ  ＩＥをＲ３  Ｚｏｎｅに設定する。【０１５８】
Ｓ４４では、Ｒ１  Ｚｏｎｅの無線リソースの有無を判定する。Ｒ１  Ｚｏｎｅに無線リソースが十分にあると判定される場合（Ｓ４４でＹｅｓの場合）はＳ４５へ、Ｒ１  Ｚｏｎｅに無線リソースが十分に無いと判定される場合（Ｓ４４でＮｏの場合）はＳ４２へ進む。【０１５９】
Ｓ４５では、ＣＤＭＡ  Ａｌｌｏｃａｔｉｏｎ  ＩＥをＲ１  Ｚｏｎｅに設定する。
図２５は、移動局が、基地局からブロードキャストされるＵＣＤメッセージを受信する際の処理フロー例を示すフローチャートである。【０１６０】
Ｓ４６では、移動局はＵＣＤメッセージを受信する。【０１６１】
Ｓ４７では、Ｓ４６において受信したＵＣＤメッセージに含まれる、ＣＤＭＡ  Ｃｏｄｅのパターンの範囲を示す情報を記憶する。移動局は、移動に伴い無線環境が変化し得るため、Ｒ１  Ｚｏｎｅで通信を行なっていた移動局がＲ３  Ｚｏｎｅで通信すべき状態になったり、Ｒ３  Ｚｏｎｅで通信を行なっていた移動局がＲ１  Ｚｏｎｅで通信すべき状態になったりする。よって、上記受信したメッセージに示されるＲ１  Ｚｏｎｅ用のパラメータとＲ３  Ｚｏｎｅ用のパラメータとの両方、すなわち“Ｓ”、“Ｎ”、“Ｍ”、“Ｌ”、“Ｏ”、“Ｎ＿Ｒ１”、“Ｍ＿Ｒ１”、“Ｌ＿Ｒ１”、“Ｏ＿Ｒ１”のパラメータの値を記憶する（図２１参照）。【０１６２】
図２６は、移動局が、基地局に対しＣＤＭＡ  Ｃｏｄｅを送信する際の処理フロー例を示すフローチャートである。【０１６３】
Ｓ４８では、移動局はＵＬ−ＭＡＰ  ＩＥを受信する。このＵＬ−ＭＡＰ  ＩＥには、移動局がＣＤＭＡ  Ｃｏｄｅを送信できるＣＤＭＡ  Ｃｏｎｔｅｎｔｉｏｎ  Ｒｅｇｉｏｎについての位置情報が含まれる。【０１６４】
Ｓ４９では、Ｓ４８で受信したＵＬ−ＭＡＰ  ＩＥに示されるＣＤＭＡ  Ｃｏｎｔｅｎｔｉｏｎ  Ｒｅｇｉｏｎの中から、自局がＣＤＭＡ  Ｃｏｄｅを送信するスロットを選択する。【０１６５】
Ｓ５０では、自局がＣＤＭＡ  Ｃｏｄｅを基地局に送信するＺｏｎｅを選択する。【０１６６】
Ｓ５１では、Ｓ５０でＲ３  Ｚｏｎｅを選択したか否か（Ｒ１  Ｚｏｎｅを選択したか）を判定する。Ｒ３  Ｚｏｎｅを選択した場合（Ｓ５１でＹｅｓの場合）はＳ５２へ、Ｒ１  Ｚｏｎｅを選択した場合（Ｓ５１でＮｏの場合）はＳ５３へ進む。【０１６７】
Ｓ５２では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”を参照し、基地局へ送信するＣＤＭＡ  Ｃｏｄｅのパターンを選択する（図２１参照）。
例えば、Ｂａｎｄｗｉｄｔｈ  Ｒｅｑｕｅｓｔ Ｃｏｄｅを送信する場合、“Ｓ”＋“Ｎ”＋“Ｍ”から“Ｓ”＋“Ｎ”＋“Ｍ”＋“Ｏ”−１の範囲の中から、送信するＣＤＭＡ  Ｃｏｄｅのパターンを選択する。【０１６８】
Ｓ５３では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”、“Ｎ＿Ｒ１”、“Ｍ＿Ｒ１”、“Ｌ＿Ｒ１”、“Ｏ＿Ｒ１”を参照し、基地局へ送信するＣＤＭＡ  Ｃｏｄｅのパターンを選択する（図２１参照）。【０１６９】
例えば、Ｂａｎｄｗｉｄｔｈ  Ｒｅｑｕｅｓｔ Ｃｏｄｅを送信する場合、“Ｓ”＋“Ｎ”＋“Ｍ”＋“Ｌ”＋“Ｏ”＋“Ｎ＿Ｒ１”＋“Ｍ＿Ｒ１”から“Ｓ”＋“Ｎ”＋“Ｍ”＋“Ｌ”＋“Ｏ”＋“Ｎ＿Ｒ１”＋“Ｍ＿Ｒ１”＋“Ｏ＿Ｒ１”−１の範囲の中から、送信するＣＤＭＡ  Ｃｏｄｅのパターンを選択する。【０１７０】
Ｓ５４では、Ｓ４９において選択したＣＤＭＡ  Ｃｏｎｔｅｎｔｉｏｎ  Ｒｅｇｉｏｎのスロットで、Ｓ５２又はＳ５３において選択したＣＤＭＡ  Ｃｏｄｅのパターンを基地局に対して送信する。【０１７１】
図２７、図２８、図３１は、それぞれ、図２６のＳ５０において、移動局がＺｏｎｅを選択する際の処理フロー例を示すフローチャートである。
図２７は、移動局がＺｏｎｅを選択するフローの例を示す。【０１７２】
Ｓ５５では、ＤＬの信号のＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）の値を取得する。移動局は、基地局から送信されるＤＬの信号の品質を常時、あるいは、定期もしくは不定期に測定し、測定して得られるＳＩＮＲの値を記憶部に記憶する。【０１７３】
Ｓ５６では、ＣＤＭＡ  Ｃｏｄｅを送信するとき、記憶部に記憶されている上記ＤＬの信号のＳＩＮＲの値を参照し、所定の閾値Ａと比較する。なお、この閾値Ａは、例えば、基地局から移動局に対してＵＣＤメッセージにより通知される。【０１７４】
Ｓ５６で、ＳＩＮＲの値が閾値Ａより大きいと判定する場合（Ｓ５６でＹｅｓの場合）はＳ５７へ、ＳＩＮＲの値が閾値Ａより大きくない（小さい）と判定する場合（Ｓ５６でＮｏの場合）はＳ５８へ進む。【０１７５】
Ｓ５７では、Ｒ１  Ｚｏｎｅを選択する。【０１７６】
Ｓ５８では、Ｒ３  Ｚｏｎｅを選択する。【０１７７】
図２８は、移動局がＺｏｎｅを選択する他の例を示す。【０１７８】
Ｓ５９では、ＵＬの期間でのＲ１  Ｚｏｎｅにおける信号の干渉値を基地局から取得するとともに、自局の記憶部に記憶している基準送信電力値を取得する。ここで、基準送信電力値は、例示的に、基地局からの送信電力制御によって調整する１サブキャリア当たりの電力値とする。移動局は、当該基準送信電力値に対して、Ｂｕｒｓｔ  Ｐｒｏｆｉｌｅの値やＵＬの信号の干渉値をさらに考慮して、データを送信する際の送信電力値を計算する。【０１７９】
Ｓ６０では、Ｓ５９で取得したＲ１  Ｚｏｎｅの干渉値及び基準送信電力値を足し合わせた値と閾値Ｂとを比較する。なお、この閾値Ｂは、例えば、基地局から移動局に対してＵＣＤメッセージにより通知される。【０１８０】
Ｓ６０で、上記足し合わせた値が閾値Ｂより小さい場合（Ｓ６０でＹｅｓの場合）、送信電力に余裕がありＲ１  Ｚｏｎｅでの通信が可能と判定しＳ６１へ進む。一方、上記足し合わせた値が閾値Ｂより大きい場合（Ｓ６０でＮｏの場合）、送信電力に余裕がなくＲ１  Ｚｏｎｅでの通信が不可能（又は通信すべきでない）と判定してＳ６２へ進む。【０１８１】
Ｓ６１では、Ｒ１  Ｚｏｎｅを選択する。【０１８２】
Ｓ６２では、Ｒ３  Ｚｏｎｅを選択する。【０１８３】
図２９は、図２８で、ＵＬの期間でのＲ１  Ｚｏｎｅ及びＲ３  Ｚｏｎｅにおける信号の干渉値を、基地局がブロードキャストにより移動局に対し通知する際のシーケンス例を示す。【０１８４】
基地局は、ＵＬの期間で移動局から送信される信号を受信し、受信信号について、Ｒ１  Ｚｏｎｅ及びＲ３  Ｚｏｎｅにおける信号の干渉値を無線品質測定部にて測定する。【０１８５】
Ｓ６３、Ｓ６４、Ｓ６５で、基地局は、移動局に対し、測定した上記干渉値の情報をＵＬ−ＭＡＰ  ＩＥに含めて送信することにより通知する。【０１８６】
干渉値の通知は、周期的に行なってもよいし、干渉値に変化があった場合に行なってもよい。【０１８７】
図３０は、図２９で基地局から移動局に送信されるＵＬ−ＭＡＰ  ＩＥの例を示す。【０１８８】
ＵＬ−ＭＡＰ  ＩＥには、基地局が、ＵＬの期間で移動局から送信された信号について測定した、Ｒ１  Ｚｏｎｅ及びＲ３  Ｚｏｎｅにおける信号の干渉値の情報がそれぞれ示される。【０１８９】
図３１は、移動局がＺｏｎｅを選択する更に他の例を示す。【０１９０】
Ｓ６６では、図２７の場合と同様にＤＬの信号のＳＩＮＲの値を取得するとともに、図２８の場合と同様にＵＬの期間でのＲ１  Ｚｏｎｅにおける信号の干渉値、自局の記憶部に記憶している基準送信電力値を取得する。【０１９１】
Ｓ６７では、Ｓ６６で取得したＳＩＮＲの値と閾値Ａとを比較し、且つ、Ｒ１  Ｚｏｎｅの干渉値及び基準送信電力値を足し合わせた値と閾値Ｂとを比較する。なお、この閾値Ａ及びＢは、例えば、基地局から移動局に対してＵＣＤメッセージにより通知される。【０１９２】
Ｓ６７で、ＳＩＮＲの値が閾値より大きく、且つ、上記足し合わせた値が閾値Ｂより小さい場合（Ｓ６７でＹｅｓの場合）はＳ６８へ、少なくともＳＩＮＲの値が閾値より小さい、又は、上記足し合わせた値が閾値Ｂより大きい場合（Ｓ６７でＮｏの場合）はＳ６９へ進む。【０１９３】
Ｓ６８では、Ｒ１  Ｚｏｎｅを選択する。【０１９４】
Ｓ６９では、Ｒ３  Ｚｏｎｅを選択する。【０１９５】
（４）第２実施例
図３２に、本実施例に用いられるＵＬサブフレームのフレーム構成例を示す。本実施例では、図８で示したフレーム構成とは異なり、８０２．１６ｅ通信領域及び８０２．１６ｍ通信領域のそれぞれに、対応するＣＤＭＡ  Ｃｏｎｔｅｎｔｉｏｎ  Ｒｅｇｉｏｎが設けられる。【０１９６】
図３３は、本実施例で基地局から移動局に対しブロードキャストされる、ＵＣＤメッセージに含まれる情報の例を示す。【０１９７】
本実施例のＵＣＤメッセージでは、Ｉｎｉｔｉａｌ  Ｒａｎｇｉｎｇ、Ｐｅｒｉｏｄｉｃ  Ｒａｎｇｉｎｇ、Ｂａｎｄｗｉｄｔｈ  Ｒｅｑｕｅｓｔ、及びＨａｎｄｏｖｅｒ  Ｒａｎｇｉｎｇのそれぞれについて、８０２．１６ｅ通信領域用及び８０２．１６ｍ通信領域用に共通のＣＤＭＡ  Ｃｏｄｅのパターンの範囲が設定され、当該範囲の区切りが示される。【０１９８】
具体的には、ＣＤＭＡ  Ｃｏｄｅのパターンの範囲の先頭を示すパラメータ“Ｓ”と、それぞれのコード数を示すパラメータ“Ｎ”、“Ｍ”、“Ｌ”、“Ｏ”が示される。【０１９９】
図３４に、基地局と移動局との間で通信領域の割り当てが行なわれる際のシーケンス例を示す。【０２００】
Ｓ７０では、基地局は、８０２．１６ｅ準拠の移動局及び８０２．１６ｍ準拠の移動局に対して、ＣＤＭＡ  Ｃｏｄｅのパターンの設定情報を含んだＵＣＤメッセージを送信する。【０２０１】
Ｓ７１では、基地局は、８０２．１６ｅ準拠の移動局及び８０２．１６ｍ準拠の移動局に対して、８０２．１６ｅ通信領域用のＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【０２０２】
Ｓ７２では、基地局は、８０２．１６ｅ準拠の移動局及び８０２．１６ｍ準拠の移動局に対して、８０２．１６ｍ通信領域用のＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【０２０３】
Ｓ７３では、８０２．１６ｅ準拠の移動局において、Ｓ７０で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図３３においてＢａｎｄｗｉｄｔｈ  Ｒｅｑｕｅｓｔ  ｃｏｄｅの範囲からＣＤＭＡ  Ｃｏｄｅを選択する。８０２．１６ｅ準拠の移動局は、選択したＣＤＭＡ  Ｃｏｄｅを８０２．１６ｅ通信領域用のＣＤＭＡ  Ｃｏｎｔｅｎｔｉｏｎ  Ｒｅｇｉｏｎで基地局に送信する。【０２０４】
Ｓ７４では、８０２．１６ｍ準拠の移動局において、Ｓ７０で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図３３においてＢａｎｄｗｉｄｔｈ  Ｒｅｑｕｅｓｔ  ｃｏｄｅの範囲からＣＤＭＡ  Ｃｏｄｅを選択する。８０２．１６ｍ準拠の移動局は、選択したＣＤＭＡ  Ｃｏｄｅを８０２．１６ｍ通信領域用のＣＤＭＡ  Ｃｏｎｔｅｎｔｉｏｎ  Ｒｅｇｉｏｎで基地局に送信する。【０２０５】
Ｓ７５では、基地局は、Ｓ７３で受信したＣＤＭＡ  Ｃｏｄｅに基づいて、ＵＬサブフレームの８０２．１６ｅ通信領域を割り当てるＣＤＭＡ  Ａｌｌｏｃａｔｉｏｎ  ＩＥを生成し、８０２．１６ｅ準拠の移動局に対して送信する。【０２０６】
Ｓ７６では、基地局は、Ｓ７４で受信したＣＤＭＡ  Ｃｏｄｅに基づいて、ＵＬサブフレームの８０２．１６ｍ通信領域を割り当てるＣＤＭＡ  Ａｌｌｏｃａｔｉｏｎ  ＩＥを生成し、８０２．１６ｍ準拠の移動局に対して送信する。【０２０７】
ただし、８０２．１６ｍ準拠の移動局は、８０２．１６ｍ通信領域及び８０２．１６ｅ通信領域での通信が可能であるため、例えば、８０２．１６ｍ通信領域の無線リソースが不足している場合は、８０２．１６ｍ準拠の移動局に対しても８０２．１６ｅ通信領域を割り当てることができる。【０２０８】
したがって、Ｓ７６では、基地局は、Ｓ７４で受信したＣＤＭＡ  Ｃｏｄｅに基づいて、ＵＬサブフレームの８０２．１６ｅ通信領域を割り当てるＣＤＭＡ  Ａｌｌｏｃａｔｉｏｎ  ＩＥを生成し、８０２．１６ｍ準拠の移動局に対して送信する場合もある。【０２０９】
Ｓ７７では、８０２．１６ｅ準拠の移動局は、Ｓ７５で受信したＣＤＭＡ  Ａｌｌｏｃａｔｉｏｎ  ＩＥにより割り当てられたＵＬサブフレームの領域、すなわち８０２．１６ｅ通信領域で、基地局に対しＢａｎｄｗｉｄｔｈ  Ｒｅｑｕｅｓｔメッセージを送信する。【０２１０】
Ｓ７８では、８０２．１６ｍ準拠の移動局は、Ｓ７６で受信したＣＤＭＡ  Ａｌｌｏｃａｔｉｏｎ  ＩＥにより割り当てられたＵＬサブフレームの領域、すなわち８０２．１６ｍ通信領域又は８０２．１６ｅ通信領域で、基地局に対しＢａｎｄｗｉｄｔｈ  Ｒｅｑｕｅｓｔメッセージを送信する。【０２１１】
図３５は、基地局が、ＣＤＭＡ  Ｃｏｄｅを受信し、当該ＣＤＭＡ  Ｃｏｄｅの送信元の移動局に対しＣＤＭＡ  Ａｌｌｏｃａｔｉｏｎ  ＩＥを設定する際の処理フロー例を示すフローチャートである。【０２１２】
Ｓ７９では、基地局はＣＤＭＡ  Ｃｏｄｅを受信する。【０２１３】
Ｓ８０では、Ｓ７９において受信したＣＤＭＡ  Ｃｏｄｅが８０２．１６ｅ通信領域用のＣＤＭＡ  Ｃｏｎｔｅｎｔｉｏｎ  Ｒｅｇｉｏｎで送信されたＣＤＭＡ  Ｃｏｄｅであるかを判定する。８０２．１６ｅ通信領域用のＣＤＭＡ  Ｃｏｎｔｅｎｔｉｏｎ  Ｒｅｇｉｏｎで送信されたＣＤＭＡ  Ｃｏｄｅであると判定する場合（Ｓ８０でＹｅｓの場合）はＳ８１へ、８０２．１６ｅ通信領域用のＣＤＭＡ  Ｃｏｎｔｅｎｔｉｏｎ  Ｒｅｇｉｏｎで送信されたＣＤＭＡ  Ｃｏｄｅでない（８０２．１６ｍ通信領域用のＣＤＭＡ  Ｃｏｎｔｅｎｔｉｏｎ  Ｒｅｇｉｏｎで送信されたＣＤＭＡ  Ｃｏｄｅである）と判定する場合（Ｓ８０でＮｏの場合）はＳ８３へ進む。【０２１４】
Ｓ８１では、８０２．１６ｅ通信領域の無線リソースの有無を判定する。８０２．１６ｅ通信領域に無線リソースが十分にあると判定される場合（Ｓ８１でＹｅｓの場合）はＳ８２へ進み、８０２．１６ｅ通信領域に無線リソースが十分に無いと判定される場合（Ｓ８１でＮｏの場合）はＣＤＭＡ  Ａｌｌｏｃａｔｉｏｎ  ＩＥを設定せず処理を終了する。【０２１５】
Ｓ８２では、ＣＤＭＡ  Ａｌｌｏｃａｔｉｏｎ  ＩＥを８０２．１６ｅ通信領域に設定する。【０２１６】
Ｓ８３では、８０２．１６ｍ通信領域の無線リソースの有無を判定する。８０２．１６ｍ通信領域に無線リソースが十分にあると判定される場合（Ｓ８３でＹｅｓの場合）はＳ８４へ、８０２．１６ｍ通信領域に無線リソースが十分に無いと判定される場合（Ｓ８３でＮｏの場合）はＳ８１へ進む。【０２１７】
Ｓ８４では、ＣＤＭＡ  Ａｌｌｏｃａｔｉｏｎ  ＩＥを８０２．１６ｍ通信領域に設定する。【０２１８】
図３６は、移動局が、基地局からブロードキャストされるＵＣＤメッセージを受信する際の処理フロー例を示すフローチャートである。【０２１９】
Ｓ８５では、移動局はＵＣＤメッセージを受信する。【０２２０】
Ｓ８６では、Ｓ８５において受信したＵＣＤメッセージに含まれる、ＣＤＭＡ  Ｃｏｄｅのパターンの範囲を示す情報、すなわち、“Ｓ”、“Ｎ”、“Ｍ”、“Ｌ”、“Ｏ”のパラメータの値を記憶する（図３３参照）。【０２２１】
図３７、図３８は、移動局が、基地局に対しＣＤＭＡ  Ｃｏｄｅを送信する際の処理フロー例を示すフローチャートである。
図３７は、８０２．１６ｅ準拠の移動局がＣＤＭＡ  Ｃｏｄｅを送信する場合の処理フローを示す。【０２２２】
Ｓ８７では、移動局はＵＬ−ＭＡＰ  ＩＥを受信する。このＵＬ−ＭＡＰ  ＩＥには、移動局がＣＤＭＡ  Ｃｏｄｅを送信できる、８０２．１６ｅ通信領域用のＣＤＭＡ  Ｃｏｎｔｅｎｔｉｏｎ  Ｒｅｇｉｏｎについての位置情報が含まれる。【０２２３】
Ｓ８８では、Ｓ８７で受信したＵＬ−ＭＡＰ  ＩＥに示される８０２．１６ｅ通信領域用のＣＤＭＡ  Ｃｏｎｔｅｎｔｉｏｎ  Ｒｅｇｉｏｎの中から、自局がＣＤＭＡ  Ｃｏｄｅを送信するスロットを選択する。【０２２４】
Ｓ８９では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”を参照し、基地局へ送信するＣＤＭＡ  Ｃｏｄｅのパターンを選択する（図３３参照）。【０２２５】
Ｓ９０では、Ｓ８８において選択した８０２．１６ｅ通信領域用のＣＤＭＡ  Ｃｏｎｔｅｎｔｉｏｎ  Ｒｅｇｉｏｎのスロットで、Ｓ８９において選択したＣＤＭＡ  Ｃｏｄｅのパターンを基地局に対して送信する。【０２２６】
図３８は、８０２．１６ｍ準拠の移動局がＣＤＭＡ  Ｃｏｄｅを送信する場合の処理フローを示す。【０２２７】
Ｓ９１では、移動局はＵＬ−ＭＡＰ  ＩＥを受信する。このＵＬ−ＭＡＰ  ＩＥには、移動局がＣＤＭＡ  Ｃｏｄｅを送信できる、８０２．１６ｍ通信領域用のＣＤＭＡ  Ｃｏｎｔｅｎｔｉｏｎ  Ｒｅｇｉｏｎについての位置情報が含まれる。【０２２８】
Ｓ９２では、Ｓ９１で受信したＵＬ−ＭＡＰ  ＩＥに示される８０２．１６ｍ通信領域用のＣＤＭＡ  Ｃｏｎｔｅｎｔｉｏｎ  Ｒｅｇｉｏｎの中から、自局がＣＤＭＡ  Ｃｏｄｅを送信するスロットを選択する。【０２２９】
Ｓ９３では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”を参照し、基地局へ送信するＣＤＭＡ  Ｃｏｄｅのパターンを選択する（図３３参照）。【０２３０】
Ｓ９４では、Ｓ９２において選択した８０２．１６ｍ通信領域用のＣＤＭＡ  Ｃｏｎｔｅｎｔｉｏｎ  Ｒｅｇｉｏｎのスロットで、Ｓ９３において選択したＣＤＭＡ  Ｃｏｄｅのパターンを基地局に対して送信する。【０２３１】
（５）第２実施例の変形例
図３９に、本実施例に用いられるＵＬサブフレームのフレーム構成例を示す。本実施例では、図８に示したフレーム構成とは異なり、Ｒ３  Ｚｏｎｅ及びＲ１  Ｚｏｎｅのそれぞれに、対応するＣＤＭＡ  Ｃｏｎｔｅｎｔｉｏｎ  Ｒｅｇｉｏｎが設けられる。
また、本実施例では、図３３と同様の、Ｒ１  ＺｏｎｅとＲ３  Ｚｏｎｅとで共通のＣＤＭＡ  Ｃｏｄｅが用いられる。【０２３２】
図４０に、基地局と移動局との間で通信領域の割り当てが行なわれる際のシーケンス例を示す。【０２３３】
Ｓ９５では、基地局は、移動局に対してＣＤＭＡ  Ｃｏｄｅのパターンの設定情報を含んだＵＣＤメッセージを送信する。【０２３４】
Ｓ９６では、基地局は、移動局に対してＲ３  Ｚｏｎｅ用のＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【０２３５】
Ｓ９７では、基地局は、移動局に対してＲ１  Ｚｏｎｅ用のＣＤＭＡ  Ｃｏｎｔｅｎｔｉｏｎ  Ｒｅｇｉｏｎの領域のフレームにおける位置情報を含んだＵＬ−ＭＡＰ  ＩＥを送信する。【０２３６】
Ｓ９８では、Ｒ３  Ｚｏｎｅを選択する移動局において、Ｓ９５で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図３３においてＢａｎｄｗｉｄｔｈ  Ｒｅｑｕｅｓｔ  ｃｏｄｅの範囲からＣＤＭＡ  Ｃｏｄｅを選択する。Ｒ３  Ｚｏｎｅを選択する移動局は、選択したＣＤＭＡ  ＣｏｄｅをＲ３  Ｚｏｎｅ用のＣＤＭＡ  Ｃｏｎｔｅｎｔｉｏｎ  Ｒｅｇｉｏｎで基地局に送信する。【０２３７】
Ｓ９９では、Ｒ１  Ｚｏｎｅを選択する移動局において、Ｓ９５で受信したＵＣＤメッセージに含まれるＣＤＭＡ  Ｃｏｄｅのパターンの範囲を示す情報に基づき、基地局へ送信するＣＤＭＡ  Ｃｏｄｅを選択する。例えば、Ｂａｎｄｗｉｄｔｈ  Ｒｅｑｕｅｓｔのための通信領域を要求する場合、図３３においてＢａｎｄｗｉｄｔｈ  Ｒｅｑｕｅｓｔ  ｃｏｄｅの範囲からＣＤＭＡ  Ｃｏｄｅを選択する。Ｒ１  Ｚｏｎｅを選択する移動局は、選択したＣＤＭＡ  ＣｏｄｅをＲ１  Ｚｏｎｅ用のＣＤＭＡ  Ｃｏｎｔｅｎｔｉｏｎ  Ｒｅｇｉｏｎで基地局に送信する。【０２３８】
Ｓ１００では、基地局は、Ｓ９８で受信したＣＤＭＡ  Ｃｏｄｅに基づいて、ＵＬサブフレームのＲ３  Ｚｏｎｅを割り当てるＣＤＭＡ  Ａｌｌｏｃａｔｉｏｎ  ＩＥを生成し、Ｒ３  Ｚｏｎｅを選択する移動局に対して送信する。【０２３９】
Ｓ１０１では、基地局は、Ｓ９９で受信したＣＤＭＡ  Ｃｏｄｅに基づいて、ＵＬサブフレームのＲ１  Ｚｏｎｅを割り当てるＣＤＭＡ  Ａｌｌｏｃａｔｉｏｎ  ＩＥを生成し、Ｒ１  Ｚｏｎｅを選択する移動局に対して送信する。【０２４０】
ただし、Ｒ１  Ｚｏｎｅを選択する移動局は、Ｒ１  Ｚｏｎｅ及びＲ３  Ｚｏｎｅでの通信が可能であるため、例えば、Ｒ１  Ｚｏｎｅの無線リソースが不足している場合は、Ｒ１  Ｚｏｎｅを選択する移動局に対してもＲ３  Ｚｏｎｅを割り当てることができる。【０２４１】
したがって、Ｓ１０１では、基地局は、Ｓ９９で受信したＣＤＭＡ  Ｃｏｄｅに基づいて、ＵＬサブフレームのＲ３  Ｚｏｎｅを割り当てるＣＤＭＡ  Ａｌｌｏｃａｔｉｏｎ  ＩＥを生成し、Ｒ１  Ｚｏｎｅを選択する移動局に対して送信する場合もある。【０２４２】
Ｓ１０２では、Ｒ３  Ｚｏｎｅを選択する移動局は、Ｓ１００で受信したＣＤＭＡ  Ａｌｌｏｃａｔｉｏｎ  ＩＥにより割り当てられたＵＬサブフレームの領域、すなわちＲ３  Ｚｏｎｅで、基地局に対しＢａｎｄｗｉｄｔｈ  Ｒｅｑｕｅｓｔメッセージを送信する。【０２４３】
Ｓ１０３では、Ｒ１  Ｚｏｎｅ選択する移動局は、Ｓ１０１で受信したＣＤＭＡ  Ａｌｌｏｃａｔｉｏｎ  ＩＥにより割り当てられたＵＬサブフレームの領域、すなわちＲ１  Ｚｏｎｅ又はＲ３  Ｚｏｎｅで、基地局に対しＢａｎｄｗｉｄｔｈ  Ｒｅｑｕｅｓｔメッセージを送信する。【０２４４】
図４１は、基地局が、ＣＤＭＡ  Ｃｏｄｅを受信し、当該ＣＤＭＡ  Ｃｏｄｅの送信元の移動局に対しＣＤＭＡ  Ａｌｌｏｃａｔｉｏｎ  ＩＥを設定する際の処理フロー例を示すフローチャートである。【０２４５】
Ｓ１０４では、基地局はＣＤＭＡ  Ｃｏｄｅを受信する。【０２４６】
Ｓ１０５では、Ｓ１０４において受信したＣＤＭＡ  ＣｏｄｅがＲ３  Ｚｏｎｅ用のＣＤＭＡ  Ｃｏｎｔｅｎｔｉｏｎ  Ｒｅｇｉｏｎで送信されたＣＤＭＡ  Ｃｏｄｅであるか否かを判定する。Ｒ３  Ｚｏｎｅ用のＣＤＭＡ  Ｃｏｎｔｅｎｔｉｏｎ  Ｒｅｇｉｏｎで送信されたＣＤＭＡ  Ｃｏｄｅであると判定する場合（Ｓ１０５でＹｅｓの場合）はＳ１０６へ、Ｒ３  Ｚｏｎｅ用のＣＤＭＡ  Ｃｏｎｔｅｎｔｉｏｎ  Ｒｅｇｉｏｎで送信されたＣＤＭＡ  Ｃｏｄｅでない（Ｒ１  Ｚｏｎｅ用のＣＤＭＡ  Ｃｏｎｔｅｎｔｉｏｎ  Ｒｅｇｉｏｎで送信されたＣＤＭＡ  Ｃｏｄｅである）と判定する場合（Ｓ１０５でＮｏの場合）はＳ１０８へ進む。【０２４７】
Ｓ１０６では、Ｒ３  Ｚｏｎｅの無線リソースの有無を判定する。Ｒ３  Ｚｏｎｅに無線リソースが十分にあると判定される場合（Ｓ１０６でＹｅｓの場合）はＳ１０７へ進み、Ｒ３  Ｚｏｎｅに無線リソースが十分に無いと判定される場合（Ｓ１０６でＮｏの場合）はＣＤＭＡ  Ａｌｌｏｃａｔｉｏｎ  ＩＥを設定せず処理を終了する。【０２４８】
Ｓ１０７では、ＣＤＭＡ  Ａｌｌｏｃａｔｉｏｎ  ＩＥをＲ３  Ｚｏｎｅに設定する。【０２４９】
Ｓ１０８では、Ｒ１  Ｚｏｎｅの無線リソースの有無を判定する。Ｒ１  Ｚｏｎｅに無線リソースが十分にあると判定される場合（Ｓ１０８でＹｅｓの場合）はＳ１０９へ、Ｒ１  Ｚｏｎｅに無線リソースが十分に無いと判定される場合（Ｓ１０８でＮｏの場合）はＳ１０６へ進む。【０２５０】
Ｓ１０９では、ＣＤＭＡ  Ａｌｌｏｃａｔｉｏｎ  ＩＥをＲ１  Ｚｏｎｅに設定する。【０２５１】
図４２は、移動局が、基地局からブロードキャストされるＵＣＤメッセージを受信する際の処理フロー例を示すフローチャートである。【０２５２】
Ｓ１１０では、移動局はＵＣＤメッセージを受信する。【０２５３】
Ｓ１１１では、Ｓ１１０において受信したＵＣＤメッセージに含まれる、ＣＤＭＡ  Ｃｏｄｅのパターンの範囲を示す情報、すなわち、“Ｓ”、“Ｎ”、“Ｍ”、“Ｌ”、“Ｏ”のパラメータの値を記憶する（図３３参照）。【０２５４】
図４３は、移動局が、基地局から送信されたＣＤＭＡ  Ｃｏｎｔｅｎｔｉｏｎ  Ｒｅｇｉｏｎの位置を示すＵＬ−ＭＡＰ  ＩＥを受信後、基地局に対しＣＤＭＡ  Ｃｏｄｅを送信する際の処理フロー例を示すフローチャートである。【０２５５】
Ｓ１１２では、自局がＣＤＭＡ  Ｃｏｄｅを送信するＺｏｎｅを選択する。Ｚｏｎｅの選択は、第１実施例の変形例において説明した図２７、図２８、図３１と同様の手順により行なうことができる。【０２５６】
Ｓ１１３では、Ｓ１１２でＲ３  Ｚｏｎｅが選択されたか否かが判定される。Ｒ３  Ｚｏｎｅが選択された場合（Ｓ１１３でＹｅｓの場合）はＳ１１４へ、Ｒ３  Ｚｏｎｅが選択されなかった（Ｒ１  Ｚｏｎｅが選択された）場合（Ｓ１１３でＮｏの場合）はＳ１１５へ進む。【０２５７】
Ｓ１１４では、Ｒ３  Ｚｏｎｅ用のＣＤＭＡ  Ｃｏｎｔｅｎｔｉｏｎ  Ｒｅｇｉｏｎの中から、自局がＣＤＭＡ  Ｃｏｄｅを送信するスロットを選択する。【０２５８】
Ｓ１１５では、Ｒ１  Ｚｏｎｅ用のＣＤＭＡ  Ｃｏｎｔｅｎｔｉｏｎ  Ｒｅｇｉｏｎの中から、自局がＣＤＭＡ  Ｃｏｄｅを送信するスロットを選択する。【０２５９】
Ｓ１１６では、自局が記憶しているＣＤＭＡ  Ｃｏｄｅのパターンの範囲についての情報、すなわち、パラメータ値“Ｓ”、“Ｎ”、“Ｍ”、“Ｌ”、“Ｏ”を参照し、基地局へ送信するＣＤＭＡ  Ｃｏｄｅのパターンを選択する（図３３参照）。【０２６０】
Ｓ１１７では、Ｓ１１４又はＳ１１５において選択したＲ３  Ｚｏｎｅ用又はＲ１  Ｚｏｎｅ用のＣＤＭＡ  Ｃｏｎｔｅｎｔｉｏｎ  Ｒｅｇｉｏｎのスロットで、Ｓ１１６において選択したＣＤＭＡ  Ｃｏｄｅのパターンを基地局に対して送信する。【０２６１】
（６）その他
上記実施例では、移動局からＢａｎｄｗｉｄｔｈ  Ｒｅｑｕｅｓｔメッセージを送信するためのＵＬサブフレームの通信領域の割り当てについて説明をしたが、Ｂａｎｄｗｉｄｔｈ  Ｒｅｑｕｅｓｔメッセージのみではなく、他のメッセージ、例えばＩｎｉｔｉａｌ  ＲａｎｇｉｎｇにおけるＲａｎｇｉｎｇ  Ｒｅｑｕｅｓｔメッセージ等の送信のための通信領域の割り当てに適用しても良い。【０２６２】
また、上記実施例では、基地局は、移動局から送信されるＣＤＭＡ  Ｃｏｄｅを受信する度に、当該ＣＤＭＡ  Ｃｏｄｅに基づいて移動局へ割り当てる通信領域を決定したが、一度ＣＤＭＡ  Ｃｏｄｅを受信した移動局に割り当てるべき通信領域、例えば、８０２．１６ｅ通信領域又は８０２．１６ｍ通信領域等を記憶しておき、次回からの通信領域の割り当てを、当該情報を用いて行なっても良い。
【図１】
2010001454.tif 000003
【図２】
2010001454.tif 000004
【図３】
2010001454.tif 000005
【図４】
2010001454.tif 000006
【図５】
2010001454.tif 000007
【図６】
2010001454.tif 000008
【図７】
2010001454.tif 000009
【図８】
2010001454.tif 000010
【図９】
2010001454.tif 000011
【図１０】
2010001454.tif 000012
【図１１】
2010001454.tif 000013
【図１２】
2010001454.tif 000014
【図１３】
2010001454.tif 000015
【図１４】
2010001454.tif 000016
【図１５】
2010001454.tif 000017
【図１６】
2010001454.tif 000018
【図１７】
2010001454.tif 000019
【図１８】
2010001454.tif 000020
【図１９】
2010001454.tif 000021
【図２０】
2010001454.tif 000022
【図２１】
2010001454.tif 000023
【図２２】
2010001454.tif 000024
【図２３】
2010001454.tif 000025
【図２４】
2010001454.tif 000026
【図２５】
2010001454.tif 000027
【図２６】
2010001454.tif 000028
【図２７】
2010001454.tif 000029
【図２８】
2010001454.tif 000030
【図２９】
2010001454.tif 000031
【図３０】
2010001454.tif 000032
【図３１】
2010001454.tif 000033
【図３２】
2010001454.tif 000034
【図３３】
2010001454.tif 000035
【図３４】
2010001454.tif 000036
【図３５】
2010001454.tif 000037
【図３６】
2010001454.tif 000038
【図３７】
2010001454.tif 000039
【図３８】
2010001454.tif 000040
【図３９】
2010001454.tif 000041
【図４０】
2010001454.tif 000042
【図４１】
2010001454.tif 000043
【図４２】
2010001454.tif 000044
【図４３】
2010001454.tif 000045
【国際調査報告】
2010001454.tif 000046
2010001454.tif 000047
2010001454.tif 000048
2010001454.tif 000049